(57)【特許請求の範囲】
【請求項１】
通信装置であって、
並列ハイブリッド自動再送要求,HARQ,通信命令を判定するように構成された判定ユニットであって、前記並列HARQ通信命令は、並列HARQ方式でデータを送信または受信するように前記通信装置に命令するために使用される、判定ユニットと、
前記判定ユニットにより判定された前記並列HARQ通信命令に従って、前記並列HARQ方式でデータを送信または受信するように構成された送受信機ユニットであって、
前記並列HARQ方式でデータを前記送信することは、同じ送信時間間隔内に同じ内容の複数のデータパケットを送信することであり、前記並列HARQ方式でデータを前記受信することは、同じ送信時間間隔内に同じ内容の複数のデータパケットを受信し、かつ前記受信した同じ内容の複数のデータパケットに対して合成復号を行うことである、送受信機ユニットと、
を備え、
前記通信装置がユーザ機器である場合、
前記送受信機ユニットは、前記並列HARQ方式でデータを送信または受信する前に、少なくとも1つの下りリンク制御シグナリングを受信するようにさらに構成され、前記少なくとも1つの下りリンク制御シグナリングは、前記並列HARQ方式で前記データを送信または受信するために前記ユーザ機器によって使用される物理リソースと、変調および符号化スキームと、並列HARQ回数パラメータと、を含み、
前記送受信機ユニットは、
前記少なくとも1つの下りリンク制御シグナリングに示されている前記物理リソース、前記変調および符号化スキーム、ならびに前記並列HARQ回数パラメータに基づいて、前記並列HARQ方式でデータを送信または受信して、
前記並列HARQ方式でデータを送信または受信するように特に構成される、通信装置。
【請求項２】
前記並列HARQ通信命令は、HARQ構成パラメータであり、
前記HARQ構成パラメータは、前記並列HARQ方式でデータを送信または受信するために前記通信装置によって使用される構成パラメータである、
請求項1に記載の通信装置。
【請求項３】
前記HARQ構成パラメータは、前記並列HARQ方式でデータを送信または受信するために前記通信装置によって使用される並列HARQ回数パラメータを含み、
前記並列HARQ回数パラメータは、並列HARQの最大回数または並列HARQの具体的な回数を含む、
請求項2に記載の通信装置。
【請求項４】
ネットワーク装置であって、
並列ハイブリッド自動再送要求(HARQ)通信命令を判定するように構成された判定ユニットであって、前記並列HARQ通信命令は、並列HARQ方式でデータを送信または受信するようにユーザ機器に命令するために使用される、判定ユニットと、
前記ユーザ機器に前記並列HARQ通信命令を送信するように構成された送信ユニットであって、
並列HARQ方式でデータを前記送信することは、同じ送信時間間隔内に同じ内容の複数のデータパケットを送信することであり、並列HARQ方式でデータを前記受信することは、同じ送信時間間隔内に同じ内容の複数のデータパケットを受信し、か
つ前記受信した同じ内容の複数のデータパケットに対して合成復号を行うことである、送信ユニットと、
を備え、
少なくとも1つの下りリンク制御シグナリングを構成するための構成ユニットをさらに備え、
前記少なくとも1つの下りリンク制御シグナリングは、前記並列HARQ方式でデータを送信または受信するために前記ユーザ機器によって使用される物理リソースと、変調および符号化スキームと、並列HARQ回数パラメータと、を含み、
前記送信ユニットは、前記ユーザ機器に前記少なくとも1つの下りリンク制御シグナリングを送信するようにさらに構成される、ネットワーク装置。
【請求項５】
前記送信ユニットは、前記並列HARQ方式でデータを送信するようにさらに構成され、
前記ネットワーク装置は、
前記並列HARQ方式でデータを受信するように構成された受信ユニット
をさらに備える、請求項4に記載のネットワーク装置。
【請求項６】
前記並列HARQ通信命令は、HARQ構成パラメータであり、
前記HARQ構成パラメータは、前記並列HARQ方式で前記データを送信または受信するために前記ユーザ機器によって使用される構成パラメータである、請求項4または5のいずれか一項に記載のネットワーク装置。
【請求項７】
前記HARQ構成パラメータは、前記並列HARQ方式でデータを送信または受信するために前記ユーザ機器によって使用される並列HARQ回数パラメータを含み、
前記並列HARQ回数パラメータは、並列HARQの最大回数または並列HARQの具体的な回数を含む、
請求項6に記載のネットワーク装置。
【請求項８】
通信方法であって、
通信装置によって、並列ハイブリッド自動再送要求(HARQ)通信命令を判定するステップであって、前記並列HARQ通信命令は、並列HARQ方式でデータを送信または受信するように前記通信装置に命令するために使用され、
前記通信装置によって並列HARQ方式でデータを前記送信することは、前記通信装置によって同じ送信時間間隔内に同じ内容の複数のデータパケットを送信することであり、前記通信装置によって並列HARQ方式でデータを前記受信することは、前記通信装置によって同じ送信時間間隔内に同じ内容の複数のデータパケットを受信し、かつ前記受信した同じ内容の複数のデータパケットに対して合成復号を行うことである、ステップと、
前記通信装置によって、前記並列HARQ通信命令に従って前記並列HARQ方式でデータを送信または受信するステップと、
を含み、
前記通信装置によって、前記並列HARQ方式でデータを送信または受信する、前記ステップの前に、
前記通信装置がユーザ機器である場合、前記ユーザ機器によって、少なくとも1つの下りリンク制御シグナリングを受信するステップであって、前記少なくとも1つの下りリンク制御シグナリングは、前記並列HARQ方式でデータを送信または受信するために前記ユーザ機器によって使用される物理リソースと、変調および符号化スキームと、並列HARQ回数パラメータと、を含む、ステップ
をさらに含み、
前記ユーザ機器によって、前記並列HARQ方式で前記データを送信または受信する、前記ステップは、
前記ユーザ機器によって、前記少なくとも1つの下りリンク制御シグナリングに示されている前記物理リソース、前記変調および符号化スキーム、ならびに前記並列HARQ回数パラメータに基づいて、前記並列HARQ方式でデータを送信または受信するステップ
を特に含む、通信方法。
【請求項９】
前記並列HARQ通信命令は、HARQ構成パラメータであり、
前記HARQ構成パラメータは、前記並列HARQ方式でデータを送信または受信するために前記通信装置によって使用される構成パラメータである、請求項8に記載の方法。
【請求項１０】
前記HARQ構成パラメータは、前記並列HARQ方式でデータを送信または受信するために前記通信装置によって使用される並列HARQ回数パラメータを含み、
前記並列HARQ回数パラメータは、並列HARQの最大回数または並列HARQの具体的な回数を
含む、請求項9に記載の方法。
【請求項１１】
通信方法であって、
ネットワーク装置によって、並列ハイブリッド自動再送要求(HARQ)通信命令を判定するステップであって、前記並列HARQ通信命令は、並列HARQ方式でデータを送信または受信するようにユーザ機器に命令するために使用され、
並列HARQ方式でデータを前記送信することは、同じ送信時間間隔内に同じ内容の複数のデータパケットを送信することであり、並列HARQ方式でデータを前記受信することは、同じ送信時間間隔内に同じ内容の複数のデータパケットを受信し、かつ前記受信した同じ内容の複数のデータパケットに対して合成復号を行うことである、ステップと、
前記ネットワーク装置によって、前記ユーザ機器に前記並列HARQ通信命令を送信するステップと、
を含み、
前記方法は、少なくとも1つの下りリンク制御シグナリングを構成するステップをさらに備え、
前記少なくとも1つの下りリンク制御シグナリングは、前記並列HARQ方式でデータを送信または受信するために前記ユーザ機器によって使用される物理リソースと、変調および符号化スキームと、並列HARQ回数パラメータと、を含み、
前記ユーザ機器に前記並列HARQ通信命令を送信する前記ステップは、前記ユーザ機器に前記少なくとも1つの下りリンク制御シグナリングを送信するステップをさらに備える、通信方法。
【請求項１２】
前記ネットワーク装置によって、前記並列HARQ方式でデータを送信または受信するステップ
をさらに含む、請求項11に記載の方法。
【請求項１３】
通信装置であって、
メモリに結合されたプロセッサを備え、
前記プロセッサは、前記メモリ内の命令を読み込み、前記命令に従って、
並列ハイブリッド自動再送要求(HARQ)通信命令を判定するステップであって、前記並列HARQ通信命令は、並列HARQ方式でデータを送信または受信するように命令するために使用され、並列HARQ方式でデータを前記送信することは、同じ送信時間間隔内に同じ内容の複数のデータパケットを送信することであり、前記並列HARQ方式でデータを前記受信することは、同じ送信時間間隔内に同じ内容の複数のデータパケットを受信し、かつ前記受信した同じ内容の複数のデータパケットに対して合成復号を行うことである、ステップと、
前記並列HARQ通信命令に従って前記並列HARQ方式でデータを送信または受信するステップと
を実行するように構成されており、
前記並列HARQ方式でデータを送信または受信する、前記ステップの前に、
前記通信装置がユーザ機器である場合、前記ユーザ機器によって、少なくとも1つの下りリンク制御シグナリングを受信するステップであって、前記少なくとも1つの下りリンク制御シグナリングは、前記並列HARQ方式でデータを送信または受信するために前記ユーザ機器によって使用される物理リソースと、変調および符号化スキームと、並列HARQ回数パラメータと、を含む、ステップ
をさらに含み、
前記並列HARQ方式で前記データを送信または受信する、前記ステップは、
前記ユーザ機器によって、前記少なくとも1つの下りリンク制御シグナリングに示されている前記物理リソース、前記変調および符号化スキーム、ならびに前記並列HARQ回数パラメータに基づいて、前記並列HARQ方式でデータを送信または受信するステップ
を特に含む、通信装置。
【請求項１４】
通信装置であって、
メモリに結合されたプロセッサを備え、
前記プロセッサは、前記メモリ内の命令を読み込み、前記命令に従って、
並列ハイブリッド自動再送要求(HARQ)通信命令を判定するステップであって、前記並列HARQ通信命令は、並列HARQ方式でデータを送信または受信するようにユーザ機器に命令するために使用され、並列HARQ方式でデータを前記送信することは、同じ送信時間間隔内に同じ内容の複数のデータパケットを送信することであり、並列HARQ方式でデータを前記受信することは、同じ送信時間間隔内に同じ内容の複数のデータパケットを受信し、かつ前記受信した同じ内容の複数のデータパケットに対して合成復号を行うことである、ステップと、
前記並列HARQ通信命令を前記ユーザ機器に送信するステップと、
少なくとも1つの下りリンク制御シグナリングを構成するステップと
を実行するように構成されており、
前記少なくとも1つの下りリンク制御シグナリングは、前記並列HARQ方式でデータを送信または受信するために前記ユーザ機器によって使用される物理リソースと、変調および符号化スキームと、並列HARQ回数パラメータと、を含み、
前記並列HARQ通信命令を前記ユーザ機器に送信する前記ステップは、前記ユーザ機器に前記少なくとも1つの下りリンク制御シグナリングを送信するステップをさらに備える、通信装置。
【請求項１５】
請求項8から12のいずれか一項に記載の方法を装置に実行させるプログラム。
【請求項１６】
プログラムを記憶する非一時的なコンピュータ可読記憶媒体であって、前記プログラムがプロセッサによって実行されると、請求項8から12のいずれか一項に記載の方法が実行される、非一時的なコンピュータ可読記憶媒体。
【発明の詳細な説明】
【技術分野】
【０００１】
本発明は、通信技術の分野に関し、詳細には、通信方法および通信装置に関する。
【背景技術】
【０００２】
ロングタームエボリューション（Long Term Evolution、LTE）通信システムは、低遅延かつ高信頼性のデータ伝送を提供することを目的としている。
【０００３】
現在の通信方法によれば、送信側と受信側との間のデータ伝送の信頼性を向上させるために複数の再送信が通常行われる。例えば：
【０００４】
受信側がデータパケットの復号に失敗した場合、受信側は、送信側に否定応答をフィードバックし、受信側によってフィードバックされた否定応答を受信した後、送信側は、復号に失敗したデータパケットを受信側に再送信する。上述の処理が複数回実行される場合がある。
【０００５】
しかしながら、上述した多重再送方式ではデータ伝送の信頼性はある程度確保されているが、多重伝送はデータ伝送の遅延を必然的に増大させる。
【０００６】
従って、現在の通信方法によればデータ伝送において低遅延と高信頼性とを両立できないため、低遅延で信頼性の高いデータ伝送方法を提供することが必要不可欠である。
【発明の概要】
【課題を解決するための手段】
【０００７】
本発明の各実施形態は、低遅延かつ高信頼性のデータ伝送方法を提供するための通信方法および通信装置を提供する。
【０００８】
第1の態様によれば、通信装置であって、
並列ハイブリッド自動再送要求HARQ通信命令を判定するように構成された判定ユニットであって、並列HARQ通信命令は、並列HARQ方式でデータを送信または受信するように通信装置に命令するために使用される、判定ユニットと、
判定ユニットにより判定された並列HARQ通信命令に従って、並列HARQ方式でデータを送信または受信するように構成された送受信機ユニットであって、
並列HARQ方式でデータを送信することは、同じ送信時間間隔内に同じ内容の少なくとも1つのデータパケットを送信することであり、並列HARQ方式でデータを受信することは、同じ送信時間間隔内に同じ内容の少なくとも1つのデータパケットを受信し、かつ受信した同じ内容の少なくとも1つのデータパケットに対して合成復号を行うことである、送受信機ユニットと、
を備える、通信装置が提供される。
【０００９】
第1の態様に関連して、第1の実装では、通信装置は、ネットワーク装置またはユーザ機器である。
【００１０】
第1の態様または第1の態様の第1の実装に関連して、第2の実装では、並列HARQ通信命令は、HARQ構成パラメータであり、
HARQ構成パラメータは、並列HARQ方式でデータを送信または受信するために通信装置によって使用される構成パラメータである。
【００１１】
第1の態様の第2の実装に関連して、第3の実装では、HARQ構成パラメータは、並列HARQ方式でデータを送信または受信するために通信装置によって使用される並列HARQ回数パラメータを含み、
並列HARQ回数パラメータは、並列HARQの最大回数または並列HARQの具体的な回数を含む。
【００１２】
第1の態様または第1の態様の第1の実装から第1の態様の第2の実装のいずれか1つに関連して、第4の実装では、通信装置がユーザ機器である場合、
送受信機ユニットは、並列HARQ方式でデータを送信または受信する前に、少なくとも1つの下りリンク制御シグナリングを受信するようにさらに構成され、少なくとも1つの下りリンク制御シグナリングは、並列HARQ方式でデータを送信または受信するためにユーザ機器によって使用される物理リソースと、変調および符号化スキームと、並列HARQ回数パラメータと、を含み、
送受信機ユニットは、以下のようにして、すなわち、
少なくとも1つの下りリンク制御シグナリングに示されている物理リソース、変調および符号化スキーム、ならびに並列HARQ回数パラメータに基づいて、並列HARQ方式でデータを送信または受信して、
並列HARQ方式でデータを送信または受信するように特に構成される。
【００１３】
第1の態様の第4の実装に関連して、第5の実装では、少なくとも1つの下りリンク制御シグナリングのそれぞれは、HARQ方式でデータを送信または受信するためにユーザ機器によって使用されるすべての物理リソースのうちの少なくとも1つを含み、
送受信機ユニットは、少なくとも1つの下りリンク制御シグナリングで示される物理リソースに基づいて、かつ以下のようにして、すなわち、
少なくとも1つの下りリンク制御シグナリングに示されたすべての物理リソースに基づいて、並列HARQ方式でデータを送信または受信して、
並列HARQ方式でデータを送信または受信するように特に構成される。
【００１４】
第1の態様の第4の実装または第1の態様の第5の実装に関連して、第6の実装では、通信装置は、
ユーザ機器が少なくとも2つの下りリンク制御シグナリングを受信し、かつすべての下りリンク制御シグナリングが同じ物理リソースを含む場合、送受信機ユニットが少なくとも1つの下りリンク制御シグナリングに基づいて、並列HARQ方式でデータを送信または受信する前に、少なくとも2つの下りリンク制御シグナリングの合成復号を行うように構成された合成復号ユニット
をさらに備える。
【００１５】
第1の態様の第4の実装から第1の態様の第6の実装のいずれか1つに関連して、第7の実装では、送受信機ユニットは、
ユーザ機器が少なくとも1つの下りリンク制御シグナリングを受信する前に、第1のキャリアパラメータを受信するようにさらに構成され、第1のキャリアパラメータは、少なくとも1つの下りリンク制御シグナリングを受信するためにユーザ機器によって使用される第1のキャリアを示すために使用され、
送受信機ユニットは、少なくとも1つの下りリンク制御シグナリングを以下のように、すなわち、
第1のキャリアパラメータによって示される第1のキャリアに従って少なくとも1つの下りリンク制御シグナリングを受信して、
受信するように特に構成される。
【００１６】
第1の態様または第1の態様の第1の実装から第1の態様の第7の実装のいずれか1つに関連して、第8の実装では、判定ユニットは、
送受信機ユニットが並列HARQ方式でデータを送信または受信する前に、第2のキャリアパラメータを判定するようにさらに構成され、第2のキャリアパラメータは、並列HARQ方式でデータを送信または受信するために通信装置によって使用される第2のキャリアを示すために使用され、
送受信機ユニットは、以下のようにして、すなわち、
第2のキャリアパラメータによって示される第2のキャリアに従って並列HARQ方式でデータを送信または受信して、
並列HARQ方式でデータを送信または受信するように特に構成される。
【００１７】
第1の態様の第8の実装に関連して、第9の実装では、通信装置は、構成ユニットであって、
第2のキャリアが少なくとも2つのキャリアを含む場合、送受信機ユニットが、第2のキャリアパラメータが示す第2のキャリアに従って、並列HARQ方式でデータを送信または受信する前に、第2のキャリアに含まれる少なくとも2つのサブキャリアを1つの仮想キャリアとして構成する
ように構成された構成ユニットをさらに備え、
送受信機ユニットは、第2のキャリアパラメータによって示される第2のキャリアに従って、以下のようにして、すなわち、
仮想キャリア上で並列HARQ方式でデータを送信または受信して、
並列HARQ方式でデータを送信または受信するように特に構成される。
【００１８】
第1の態様または第1の態様の第1の実装から第1の態様の第9の実装のいずれか1つに関連して、第10の実装では、送受信機ユニットは、
並列HARQ通信命令を受信する前に、通信装置が並列HARQ方式でデータの送信または受信をサポートすることを表すために使用されるケイパビリティ情報を送信する
ようにさらに構成される。
【００１９】
第1の態様の第10の実装に関連して、第11の実装では、ケイパビリティ情報は、並列HARQ方式でデータの送信または受信をサポートするために通信装置によって使用される並列HARQの回数を含む。
【００２０】
第1の態様の第11の実装に関連して、第12の実装では、並列HARQ方式でデータの送信または受信をサポートするために通信装置によって使用される並列HARQの回数は、キャリアアグリゲーションのためのキャリアのものであり、かつ通信装置によってサポートされ得る回数である。
【００２１】
第1の態様または第1の態様の第1の実装から第1の態様の第12の態様のいずれか1つに関連して、第13の実装では、送受信機ユニットは、
並列HARQ方式でデータを送信または受信した後、少なくとも1つのフィードバックリソースを使用してフィードバック情報を送信または受信するようにさらに構成され、
フィードバックリソースは、下りリンク制御シグナリングで使用される物理リソースに従って判定される上りリンク伝送リソース、または並列HARQ方式でデータを送信するために使用される物理リソースに従って判定される下りリンク伝送リソースである。
【００２２】
第2の態様によれば、ネットワーク装置であって、
並列ハイブリッド自動再送要求HARQ通信命令を判定するように構成された判定ユニットであって、並列HARQ通信命令は、並列HARQ方式でデータを送信または受信するようにユーザ機器に命令するために使用される、判定ユニットと、
ユーザ機器に並列HARQ通信命令を送信するように構成された送信ユニットであって、
並列HARQ方式でデータを送信することは、同じ送信時間間隔内に同じ内容の少なくとも1つのデータパケットを送信することであり、並列HARQ方式でデータを受信することは、同じ送信時間間隔内に同じ内容の少なくとも1つのデータパケットを受信し、かつ受信した同じ内容の少なくとも1つのデータパケットに対して合成復号を行うことである、
送信ユニットと、
を備える、ネットワーク装置が提供される。
【００２３】
第2の態様に関連して、第1の実装では、送信ユニットは、並列HARQ方式でデータを送信するようにさらに構成され、
ネットワーク装置は、
並列HARQ方式でデータを受信するように構成された受信ユニット
をさらに備える。
【００２４】
第2の態様または第2の態様の第1の実装に関連して、第2の実装では、並列HARQ通信命令は、HARQ構成パラメータであり、
HARQ構成パラメータは、並列HARQ方式でデータを送信または受信するためにユーザ機器によって使用される構成パラメータである。
【００２５】
第2の態様の第2の実装に関連して、第3の実装では、HARQ構成パラメータは、並列HARQ方式でデータを送信または受信するためにユーザ機器によって使用される並列HARQ回数パラメータを含み、
並列HARQ回数パラメータは、並列HARQの最大回数または並列HARQの具体的な回数を含む。
【００２６】
第2の態様、第2の態様の第1の実装、または第2の態様の第2の実装に関連して、第4の実装では、ネットワーク装置は、少なくとも1つの下りリンク制御シグナリングを構成するように構成された構成ユニットをさらに備え、
少なくとも1つの下りリンク制御シグナリングは、並列HARQ方式でデータを送信または受信するためにユーザ機器によって使用される物理リソースと、変調および符号化スキームと、並列HARQ回数パラメータと、を含み、
送信ユニットは、ユーザ機器に少なくとも1つの下りリンク制御シグナリングを送信するようにさらに構成される。
【００２７】
第2の態様の第4の実装に関連して、第5の実装では、少なくとも1つの下りリンク制御シグナリングのそれぞれは、HARQ方式でデータを送信または受信するためにユーザ機器によって使用されるすべての物理リソースのうちの少なくとも1つを含む。
【００２８】
第2の態様の第5の実装に関連して、第6の実装では、少なくとも2つの下りリンク制御シグナリングが存在し、すべての下りリンク制御シグナリングは、同じ物理リソースを含む。
【００２９】
第2の態様の第4の実装から第2の態様の第6の実装のいずれか1つに関連して、第7の実装では、構成ユニットは、
第1のキャリアパラメータを構成するようにさらに構成され、第1のキャリアパラメータは、少なくとも1つの下りリンク制御シグナリングを受信するためにユーザ機器によって使用される第1のキャリアを示すために使用され、
送信ユニットは、ユーザ機器に第1のキャリアパラメータを送信するようにさらに構成される。
【００３０】
第2の態様または第2の態様の第1の実装から第2の態様の第7の実装のいずれか1つに関連して、第8の実装では、ネットワーク装置は、構成ユニットであって、
第2のキャリアパラメータを構成するように構成され、第2のキャリアパラメータは、並列HARQ方式でデータを送信または受信するためにユーザ機器によって使用される第2のキャリアを示すために使用される構成ユニットを備え、
送信ユニットは、ユーザ機器に第2のキャリアパラメータを送信するようにさらに構成される。
【００３１】
第2の態様の第8の実装に関連して、第9の実装では、送信ユニットは、
第2のキャリアが少なくとも2つのキャリアを含む場合、ユーザ機器に命令情報を送信する
ようにさらに構成され、
命令情報は、第2のキャリアに含まれる少なくとも2つのサブキャリアを1つの仮想キャリアとして構成するようにユーザ機器に指示するために使用される。
【００３２】
第2の態様または第2の態様の第1の実装から第2の態様の第9の実装のいずれか1つに関連して、第10の実装では、ネットワーク装置は受信ユニットを備え、
受信ユニットは、判定ユニットが並列ハイブリッド自動再送要求HARQ通信命令を判定する前に、ユーザ機器が並列HARQ方式でデータの送信または受信をサポートすることを表すためにユーザ機器によって送信されたケイパビリティ情報を受信するように構成される。
【００３３】
第2の態様または第2の態様の第1の実装から第2の態様の第10の実装のいずれか1つに関連して、第11の実装では、ネットワーク装置は受信ユニットを備え、
受信ユニットは、少なくとも1つの上りリンクフィードバックリソースを使用して、ユーザ機器によって送信されたフィードバック情報を受信するように構成され、少なくとも1つの上りリンクフィードバックリソースは、下りリンク制御シグナリングによって使用される物理リソースに従って判定された伝送リソースであり、
送信ユニットは、
少なくとも1つの下りリンクフィードバックリソースを使用して、フィードバック情報をユーザ機器に送信するようにさらに構成され、少なくとも1つの下りリンクフィードバックリソースは、並列HARQ方式でデータを送信するために使用される物理リソースに従って判定された伝送リソースである。
【００３４】
第3の態様によれば、通信方法であって、
通信装置によって、並列ハイブリッド自動再送要求HARQ通信命令を判定するステップであって、並列HARQ通信命令は、並列HARQ方式でデータを送信または受信するように通信装置に命令するために使用され、
通信装置によって並列HARQ方式でデータを送信することは、通信装置によって同じ送信時間間隔内に同じ内容の少なくとも1つのデータパケットを送信することであり、通信装置によって並列HARQ方式でデータを受信することは、通信装置によって同じ送信時間間隔内に同じ内容の少なくとも1つのデータパケットを受信し、かつ受信した同じ内容の少なくとも1つのデータパケットに対して合成復号を行うことである、ステップと、
通信装置によって、並列HARQ通信命令に従って並列HARQ方式でデータを送信または受信するステップと、
を含む通信方法が提供される。
【００３５】
第3の態様に関連して、第1の実装では、通信装置は、ネットワーク装置またはユーザ機器である。
【００３６】
第3の態様または第3の態様の第1の実装に関連して、第2の実装では、並列HARQ通信命令は、HARQ構成パラメータであり、
HARQ構成パラメータは、並列HARQ方式でデータを送信または受信するために通信装置によって使用される構成パラメータである。
【００３７】
第3の態様の第2の実装に関連して、第3の実装では、HARQ構成パラメータは、並列HARQ方式でデータを送信または受信するために通信装置によって使用される並列HARQ回数パラメータを含み、
並列HARQ回数パラメータは、並列HARQの最大回数または並列HARQの具体的な回数を含む。
【００３８】
第3の態様または第3の態様の第1の実装から第3の態様の第3の実装のいずれか1つに関連して、第4の実装では、通信装置によって、並列HARQ方式でデータを送信または受信するステップの前に、本方法は、
通信装置がユーザ機器である場合、ユーザ機器によって、少なくとも1つの下りリンク制御シグナリングを受信するステップであって、少なくとも1つの下りリンク制御シグナリングは、並列HARQ方式でデータを送信または受信するためにユーザ機器によって使用される物理リソースと、変調および符号化スキームと、並列HARQ回数パラメータと、を含む、ステップ
をさらに含み、
ユーザ機器によって、並列HARQ方式でデータを送信または受信するステップは、
少なくとも1つの下りリンク制御シグナリングに示されている物理リソース、変調および符号化スキーム、ならびに並列HARQ回数パラメータに基づいて、並列HARQ方式でデータを送信または受信するステップ
を特に含む。
【００３９】
第3の態様の第4の実装に関連して、第5の実装では、少なくとも1つの下りリンク制御シグナリングのそれぞれは、HARQ方式でデータを送信または受信するためにユーザ機器によって使用されるすべての物理リソースのうちの少なくとも1つを含み、
ユーザ機器によって、少なくとも1つの下りリンク制御シグナリングに示された物理リソースに基づいて、並列HARQ方式でデータを送信または受信するステップは、
ユーザ機器によって、少なくとも1つの下りリンク制御シグナリングに示されたすべての物理リソースに基づいて、並列HARQ方式でデータを送信または受信するステップ
を含む。
【００４０】
第3の態様の第4の実装または第3の態様の第5の実装に関連して、第6の実装では、ユーザ機器によって、少なくとも1つの下りリンク制御シグナリングに基づいて並列HARQ方式でデータを送信または受信するステップの前に、本方法は、
ユーザ機器が少なくとも2つの下りリンク制御シグナリングを受信し、かつすべての下りリンク制御シグナリングが同じ物理リソースを含む場合、ユーザ機器によって、少なくとも2つの下りリンク制御シグナリングの合成復号を行うステップ
をさらに含む。
【００４１】
第3の態様の第4の実装から第3の態様の第6の実装のいずれか1つに関連して、第7の実装では、ユーザ機器によって、少なくとも1つの下りリンク制御シグナリングを受信するステップの前に、本方法は、
ユーザ機器によって、第1のキャリアパラメータを受信するステップであって、第1のキャリアパラメータは、少なくとも1つの下りリンク制御シグナリングを受信するためにユーザ機器によって使用される第1のキャリアを示すために使用される、ステップ
をさらに含み、
ユーザ機器によって、少なくとも1つの下りリンク制御シグナリングを受信するステップは、
ユーザ機器によって、第1のキャリアパラメータによって示される第1のキャリアに従って少なくとも1つの下りリンク制御シグナリングを受信するステップ
を特に含む。
【００４２】
第3の態様または第3の態様の第1の実装から第3の態様の第7の実装のいずれか1つに関連して、第8の実装では、通信装置によって、並列HARQ方式でデータを送信または受信するステップの前に、本方法は、
通信装置によって、第2のキャリアパラメータを判定するステップであって、第2のキャリアパラメータは、並列HARQ方式でデータを送信または受信するために通信装置によって使用される第2のキャリアを示すために使用される、ステップ
をさらに含み、
通信装置によって、並列HARQ方式でデータを送信または受信するステップは、
通信装置によって、第2のキャリアパラメータによって示される第2のキャリアに従って並列HARQ方式でデータを送信または受信するステップ
を特に含む。
【００４３】
第3の態様の第8の実装に関連して、第9の実装では、通信装置によって、第2のキャリアパラメータによって示される第2のキャリアに従って並列HARQ方式でデータを送信または受信するステップの前に、本方法は、
第2のキャリアが少なくとも2つのサブキャリアを含む場合、通信装置によって、第2のキャリアに含まれる少なくとも2つのサブキャリアを1つの仮想キャリアとして構成するステップ
をさらに含み、
通信装置によって、第2のキャリアパラメータによって示される第2のキャリアに従って並列HARQ方式でデータを送信または受信するステップは、
通信装置によって、仮想キャリア上で並列HARQ方式でデータを送信または受信するステップ
を含む。
【００４４】
第3の態様または第3の態様の第1の実装から第3の態様の第9の実装のいずれか1つに関連して、第10の実装では、通信装置が並列HARQ通信命令を受信する前に、本方法は、
通信装置によって、通信装置が並列HARQ方式でのデータの送信または受信をサポートすることを表すために使用されるケイパビリティ情報を送信するステップ
をさらに含む。
【００４５】
第3の態様の第10の実装に関連して、第11の実装では、ケイパビリティ情報は、並列HARQ方式でデータの送信または受信をサポートするために通信装置によって使用される並列HARQの回数を含む。
【００４６】
第3の態様の第11の実装に関連して、第12の実装では、並列HARQ方式でデータの送信または受信をサポートするために通信装置によって使用される並列HARQの回数は、キャリアアグリゲーションのためのキャリアのものであり、かつ通信装置によってサポートされ得る回数である。
【００４７】
第3の態様または第3の態様の第1の実装から第3の態様の第12の実装のいずれか1つに関連して、第13の実装では、通信装置によって、並列HARQ方式でデータを送信または受信するステップの後に、本方法は、
通信装置によって、少なくとも1つのフィードバックリソースを使用してフィードバック情報を送信または受信するステップであって、
フィードバックリソースは、下りリンク制御シグナリングで使用される物理リソースに従って判定される上りリンク伝送リソース、または並列HARQ方式でデータを送信するために使用される物理リソースに従って判定される下りリンク伝送リソースである、ステップ
をさらに含む。
【００４８】
第4の態様によれば、通信方法であって、
ネットワーク装置によって、並列ハイブリッド自動再送要求HARQ通信命令を判定するステップであって、並列HARQ通信命令は、並列HARQ方式でデータを送信または受信するようにユーザ機器に命令するために使用され、
並列HARQ方式でデータを送信することは、同じ送信時間間隔内に同じ内容の少なくとも1つのデータパケットを送信することであり、並列HARQ方式でデータを受信することは、同じ送信時間間隔内に同じ内容の少なくとも1つのデータパケットを受信し、かつ受信した同じ内容の少なくとも1つのデータパケットに対して合成復号を行うことである、ステップと、
ネットワーク装置によって、ユーザ機器に並列HARQ通信命令を送信するステップと、
を含む通信方法が提供される。
【００４９】
第4の態様に関連して、第1の実装では、本方法は、
ネットワーク装置によって、並列HARQ方式でデータを送信または受信するステップ
をさらに含む。
【００５０】
第4の態様または第4の態様の第1の実装に関連して、第2の実装では、並列HARQ通信命令は、HARQ構成パラメータであり、
HARQ構成パラメータは、並列HARQ方式でデータを送信または受信するためにユーザ機器によって使用される構成パラメータである。
【００５１】
第4の態様の第2の実装に関連して、第3の実装では、HARQ構成パラメータは、並列HARQ方式でデータを送信または受信するためにユーザ機器によって使用される並列HARQ回数パラメータを含み、
並列HARQ回数パラメータは、並列HARQの最大回数または並列HARQの具体的な回数を含む。
【００５２】
第4の態様、第4の態様の第1の実装、または第4の態様の第2の実装に関連して、第4の実装では、本方法は、
ネットワーク装置によって、少なくとも1つの下りリンク制御シグナリングを構成するステップであって、
少なくとも1つの下りリンク制御シグナリングは、並列HARQ方式でデータを送信または受信するためにユーザ機器によって使用される物理リソースと、変調および符号化スキームと、並列HARQ回数パラメータと、を含む、ステップと、
ネットワーク装置によって、ユーザ機器に少なくとも1つの下りリンク制御シグナリングを送信するステップと、
をさらに含む。
【００５３】
第4の態様の第4の実装に関連して、第5の実装では、少なくとも1つの下りリンク制御シグナリングのそれぞれは、HARQ方式でデータを送信または受信するためにユーザ機器によって使用されるすべての物理リソースのうちの少なくとも1つを含む。
【００５４】
第4の態様の第5の実装に関連して、第6の実装では、少なくとも2つの下りリンク制御シグナリングが存在し、すべての下りリンク制御シグナリングは、同じ物理リソースを含む。
【００５５】
第4の態様の第4の実装から第4の態様の第6の実装のいずれか1つに関連して、第7の実装では、本方法は、
ネットワーク装置によって、第1のキャリアパラメータを構成するステップであって、第1のキャリアパラメータは、少なくとも1つの下りリンク制御シグナリングを受信するためにユーザ機器によって使用される第1のキャリアを示すために使用される、ステップと、
ネットワーク装置によって、ユーザ機器に第1のキャリアパラメータを送信するステップと、
をさらに含む。
【００５６】
第4の態様または第4の態様の第1の実装から第4の態様の第7の実装のいずれか1つに関連して、第8の実装では、本方法は、
ネットワーク装置によって、第2のキャリアパラメータを構成するステップであって、第2のキャリアパラメータは、並列HARQ方式でデータを送信または受信するためにユーザ機器によって使用される第2のキャリアを示すために使用される、ステップと、
ネットワーク装置によって、ユーザ機器に第2のキャリアパラメータを送信するステップと、
をさらに含む。
【００５７】
第4の態様の第8の実装に関連して、第9の実装では、本方法は、
ネットワーク装置によって、第2のキャリアが少なくとも2つのキャリアを含む場合、ユーザ機器に命令情報を送信するステップであって、
命令情報は、第2のキャリアに含まれる少なくとも2つのサブキャリアを1つの仮想キャリアとして構成するようにユーザ機器に指示するために使用される、ステップ
をさらに含む。
【００５８】
第4の態様または第4の態様の第1の実装から第4の態様の第9の実装のいずれか1つに関連して、第10の実装では、ネットワーク装置によって、並列ハイブリッド自動再送要求HARQ通信命令を判定するステップの前に、本方法は、
ネットワーク装置によって、ユーザ機器が並列HARQ方式でデータの送信または受信をサポートすることを表すためにユーザ機器によって送信されたケイパビリティ情報を受信するステップ
をさらに含む。
【００５９】
第4の態様または第4の態様の第1の実装から第4の態様の第10の実装のいずれか1つに関連して、第11の実装では、本方法は、
ネットワーク装置によって、少なくとも1つの上りリンクフィードバックリソースを使用して、ユーザ機器によって送信されたフィードバック情報を受信するステップ、または少なくとも1つの下りリンクフィードバックリソースを使用して、ユーザ機器にフィードバック情報を送信するステップであって、
少なくとも1つの上りリンクフィードバックリソースは、下りリンク制御シグナリングによって使用される物理リソースに従って判定された伝送リソースであり、
少なくとも1つの下りリンクフィードバックリソースは、並列HARQ方式でデータを送信するために使用される物理リソースに従って判定された伝送リソースである、ステップ
をさらに含む。
【００６０】
本発明の実施形態において提供される通信方法および通信装置によれば、並列HARQ通信命令に従って並列HARQ方式でデータを送信または受信する。同じ内容を有する少なくとも1つのデータパケットは、同じ送信時間内に送信または受信され、その結果、データパケットは並列に送信または受信され、遅延を低減することができる。加えて、同じ送信時間内に複数のデータパケットを送信または受信し、その結果、データ伝送の信頼性も向上する。
【図面の簡単な説明】
【００６１】
【図１Ａ】本発明の一実施形態による通信装置の構成の概略図である。
【図１Ｂ】本発明の一実施形態による通信装置の構成の概略図である。
【図１Ｃ】本発明の一実施形態による通信装置の構成の概略図である。
【図１Ｄ】本発明の一実施形態による別の通信装置の構成の概略図である。
【図２Ａ】本発明の一実施形態によるネットワーク装置の構成の概略図である。
【図２Ｂ】本発明の一実施形態によるネットワーク装置の構成の概略図である。
【図２Ｃ】本発明の一実施形態によるネットワーク装置の構成の概略図である。
【図２Ｄ】本発明の一実施形態による別のネットワーク装置の構成の概略図である。
【図２Ｅ】本発明の一実施形態による別のネットワーク装置の構成の概略図である。
【図３】本発明の一実施形態による通信システムの構成の概略図である。
【図４】本発明の一実施形態による通信方法の第1の流れ図である。
【図５】本発明の一実施形態による通信方法の第2の流れ図である。
【図６】本発明の一実施形態による通信方法の第3の流れ図である。
【図７】本発明の一実施形態による、所定のルールに従う物理リソースの判定の概略図である。
【図８】本発明の一実施形態による、下りリンク制御シグナリングに含まれる物理リソースの第1の概略図である。
【図９】本発明の一実施形態による、下りリンク制御シグナリングに含まれる物理リソースの第2の概略図である。
【図１０】本発明の一実施形態による、下りリンク制御シグナリングに含まれる物理リソースの第3の概略図である。
【図１１】本発明の一実施形態による通信方法の第4の流れ図である。
【図１２】本発明の一実施形態による通信方法の第5の流れ図である。
【図１３】本発明の一実施形態による通信方法の第6の流れ図である。
【図１４】本発明の一実施形態による、並列HARQ方式で送信または受信するために使用されるキャリアの第1の概略図である。
【図１５】本発明の一実施形態による、並列HARQ方式で送信または受信するために使用されるキャリアの第2の概略図である。
【図１６】本発明の一実施形態による通信方法の第7の流れ図である。
【図１７】本発明の一実施形態による、並列HARQ方式で送信または受信するために使用される仮想キャリアの概略図である。
【図１８】本発明の一実施形態による通信方法の第8の流れ図である。
【図１９】本発明の一実施形態による通信方法の第9の流れ図である。
【図２０】本発明の一実施形態による別の通信方法の第1の流れ図である。
【図２１】本発明の一実施形態による別の通信方法の第2の流れ図である。
【図２２】本発明の一実施形態による別の通信方法の第3の流れ図である。
【図２３】本発明の一実施形態による別の通信方法の第4の流れ図である。
【図２４】本発明の一実施形態による別の通信方法の第5の流れ図である。
【図２５】本発明の一実施形態による別の通信方法の第6の流れ図である。
【発明を実施するための形態】
【００６２】
以下、本発明の実施形態における添付の図面を参照しながら、本発明の実施形態における技術的な解決策を明確かつ完全に説明する。当然のことながら、説明される実施形態は、本発明の実施形態の一部に過ぎず、すべてではない。
【００６３】
本発明の実施形態において提供される通信方法および通信装置は、LTEまたはロングタームエボリューション−アドバンスト（Long Term Evolution−Advanced、LTE−A）通信システムおよび別の通信システムなどの通信シナリオに適用することができる。本発明の実施形態が適用される通信シナリオは、リソースと、ネットワーク装置によって構成されたリソースを使用することができるユーザ機器（user equipment、UE）と、を構成およびスケジューリングすることができる少なくともネットワーク装置を含む。ネットワーク装置とユーザ機器とは、互いに通信する。本発明の実施形態におけるネットワーク装置は、LTEシステムにおける発展形NodeB（evolved NodeB、eNB）であってもよいし、ユニバーサルモバイルテレコミュニケーションシステム（Universal Mobile Telecommunications System、UMTS）におけるNodeB（NodeB）であってもよいし、ユーザ機器と通信し、ユーザ機器のためのリソースを構成およびスケジューリングする別のネットワーク装置であってもよい。これは、本発明の実施形態において限定されない。
【００６４】
本発明の実施形態では、通信装置は、並列ハイブリッド自動再送要求（Hybrid Automatic Repeat reQuest、HARQ）方式でデータを送信または受信する。同じ内容を有する少なくとも1つのデータパケットは、同じ送信時間間隔内に送信または受信され、その結果、データパケットは並列に送信または受信され、遅延を低減することができる。加えて、同じ送信時間内に複数のデータパケットを送信または受信し、その結果、データ伝送の信頼性も向上する。
【００６５】
本発明の一実施形態は、通信装置100を提供する。図1Aは、本発明の本実施形態において提供される通信装置100の構成の概略図を示す。図1Aに示すように、通信装置100は、判定ユニット101と送受信機ユニット102とを備える。
【００６６】
判定ユニット101は、並列ハイブリッド自動再送要求HARQ通信命令を判定するように構成され、並列HARQ通信命令は、並列HARQ方式でデータを送信または受信するように通信装置100に命令するために使用される。
【００６７】
送受信機ユニット102は、判定ユニット101により判定された並列HARQ通信命令に従って、並列HARQ方式でデータを送信または受信するように構成される。
【００６８】
並列HARQ方式でデータを送信することは、同じ送信時間間隔内に同じ内容の少なくとも1つのデータパケットを送信することであり、並列HARQ方式でデータを受信することは、同じ送信時間間隔内に同じ内容の少なくとも1つのデータパケットを受信し、かつ受信した同じ内容の少なくとも1つのデータパケットに対して合成復号を行うことである。
【００６９】
第1の実装では、通信装置100は、ネットワーク装置またはユーザ機器である。
【００７０】
第2の実装では、並列HARQ通信命令は、HARQ構成パラメータである。
【００７１】
HARQ構成パラメータは、並列HARQ方式でデータを送信または受信するために通信装置100によって使用される構成パラメータである。
【００７２】
第3の実装では、HARQ構成パラメータは、並列HARQ方式でデータを送信または受信するために通信装置100が使用する並列HARQ回数パラメータを含む。
【００７３】
並列HARQ回数パラメータは、並列HARQの最大回数または並列HARQの具体的な回数を含む。
【００７４】
第4の実装では、通信装置100がユーザ機器である場合、
送受信機ユニット102は、並列HARQ方式でデータを送信または受信する前に、少なくとも1つの下りリンク制御シグナリングを受信するようにさらに構成され、少なくとも1つの下りリンク制御シグナリングは、並列HARQ方式でデータを送信または受信するためにユーザ機器によって使用される物理リソースと、変調および符号化スキームと、並列HARQ回数パラメータと、を含む。
【００７５】
送受信機ユニット102は、以下のようにして、すなわち、
少なくとも1つの下りリンク制御シグナリングに示されている物理リソース、変調および符号化スキーム、ならびに並列HARQ回数パラメータに基づいて、並列HARQ方式でデータを送信または受信して、
並列HARQ方式でデータを送信または受信するように特に構成される。
【００７６】
第5の実装では、少なくとも1つの下りリンク制御シグナリングのそれぞれは、HARQ方式でデータを送信または受信するためにユーザ機器によって使用されるすべての物理リソースのうちの少なくとも1つを含む。
【００７７】
送受信機ユニット102は、少なくとも1つの下りリンク制御シグナリングで示される物理リソースに基づいて、かつ以下のようにして、すなわち、
少なくとも1つの下りリンク制御シグナリングに示されたすべての物理リソースに基づいて、並列HARQ方式でデータを送信または受信して、
並列HARQ方式でデータを送信または受信するように特に構成される。
【００７８】
第6の実装では、図1Bに示すように、通信装置100は、合成復号ユニット103をさらに備える。
【００７９】
合成復号ユニット103は、ユーザ機器が少なくとも2つの下りリンク制御シグナリングを受信し、かつすべての下りリンク制御シグナリングが同じ物理リソースを含む場合、送受信機ユニット102が少なくとも1つの下りリンク制御シグナリングに基づいて、並列HARQ方式でデータを送信または受信する前に、少なくとも2つの下りリンク制御シグナリングの合成復号を行うように構成される。
【００８０】
第7の実装では、送受信機ユニット102は、
ユーザ機器が少なくとも1つの下りリンク制御シグナリングを受信する前に、第1のキャリアパラメータを受信するようにさらに構成され、第1のキャリアパラメータは、少なくとも1つの下りリンク制御シグナリングを受信するためにユーザ機器によって使用される第1のキャリアを示すために使用される。
【００８１】
送受信機ユニット102は、少なくとも1つの下りリンク制御シグナリングを以下のように、すなわち、
第1のキャリアパラメータによって示される前記第1のキャリアに従って少なくとも1つの下りリンク制御シグナリングを受信して、
受信するように特に構成される。
【００８２】
第8の実装では、判定ユニット101は、
送受信機ユニット102が並列HARQ方式でデータを送信または受信する前に、第2のキャリアパラメータを判定するようにさらに構成され、第2のキャリアパラメータは、並列HARQ方式でデータを送信または受信するために通信装置100によって使用される第2のキャリアを示すために使用される。
【００８３】
送受信機ユニット102は、以下のようにして、すなわち、
第2のキャリアパラメータによって示される第2のキャリアに従って並列HARQ方式でデータを送信または受信して、
並列HARQ方式でデータを送信または受信するように特に構成される。
【００８４】
第9の実装では、図1Cに示すように、通信装置100は、構成ユニット104をさらに備える。
【００８５】
構成ユニット104は、
第2のキャリアが少なくとも2つのキャリアを含む場合、送受信機ユニット102が、第2のキャリアパラメータが示す第2のキャリアに従って、並列HARQ方式でデータを送信または受信する前に、第2のキャリアに含まれる少なくとも2つのサブキャリアを1つの仮想キャリアとして構成する
ように構成される。
【００８６】
送受信機ユニット102は、第2のキャリアパラメータによって示される第2のキャリアに従って、以下のようにして、すなわち、
仮想キャリア上で並列HARQ方式でデータを送信または受信して、
並列HARQ方式でデータを送信または受信するように特に構成される。
【００８７】
第10の実装では、送受信機ユニット102は、
並列HARQ通信命令を受信する前に、通信装置100が並列HARQ方式でデータの送信または受信をサポートすることを表すために使用されるケイパビリティ情報を送信する
ようにさらに構成される。
【００８８】
第11の実装では、ケイパビリティ情報は、並列HARQ方式でデータの送信または受信をサポートするために通信装置100によって使用される並列HARQの回数を含む。
【００８９】
第12の実装では、並列HARQ方式でデータの送信または受信をサポートするために通信装置100によって使用される並列HARQの回数は、キャリアアグリゲーションのためのキャリアのものであり、かつ通信装置100によってサポートされ得る回数である。
【００９０】
第13の実装では、送受信機ユニット102は、
並列HARQ方式でデータを送信または受信した後、少なくとも1つのフィードバックリソースを使用してフィードバック情報を送信または受信する
ようにさらに構成される。
【００９１】
フィードバックリソースは、下りリンク制御シグナリングで使用される物理リソースに従って判定される上りリンク伝送リソース、または並列HARQ方式でデータを送信するために使用される物理リソースに従って判定される下りリンク伝送リソースである。
【００９２】
本発明の一実施形態は、通信装置1000をさらに提供する。図1Dに示すように、通信装置1000は、メモリ1001と、プロセッサ1002と、送受信機1003と、を備える。本発明の本実施形態では：
【００９３】
メモリ1001は、プロセッサ1002によって実行されるプログラムコードを格納するように構成される。
【００９４】
プロセッサ1002は、メモリ1001に格納されたプログラムを呼び出すことと、並列HARQ通信命令を判定することであって、並列HARQ通信命令は並列HARQ方式でデータを送信または受信するように通信装置に命令するために使用される、ことと、判定された並列HARQ通信命令に従って、並列HARQ方式でデータを送信または受信するように送受信機1003を制御することと、を行うように構成される。
【００９５】
並列HARQ方式でデータを送信することは、同じ送信時間間隔内に同じ内容の少なくとも1つのデータパケットを送信することであり、並列HARQ方式でデータを受信することは、同じ送信時間間隔内に同じ内容の少なくとも1つのデータパケットを受信し、かつ受信した同じ内容の少なくとも1つのデータパケットに対して合成復号を行うことである。
【００９６】
第1の実装では、通信装置1000は、ネットワーク装置またはユーザ機器である。
【００９７】
第2の実装では、並列HARQ通信命令は、HARQ構成パラメータである。
【００９８】
HARQ構成パラメータは、並列HARQ方式でデータを送信または受信するために通信装置1000によって使用される構成パラメータである。
【００９９】
第3の実装では、HARQ構成パラメータは、並列HARQ方式でデータを送信または受信するために通信装置1000が使用する並列HARQ回数パラメータを含む。
【０１００】
並列HARQ回数パラメータは、並列HARQの最大回数または並列HARQの具体的な回数を含む。
【０１０１】
第4の実装では、通信装置1000がユーザ機器である場合、プロセッサは、
送受信機1003を制御して並列HARQ方式でデータを送信または受信する前に、少なくとも1つの下りリンク制御シグナリングを受信するように送受信機1003を制御するようにさらに構成され、少なくとも1つの下りリンク制御シグナリングは、並列HARQ方式でデータを送信または受信するためにユーザ機器によって使用される物理リソースと、変調および符号化スキームと、並列HARQ回数パラメータと、を含む。
【０１０２】
送受信機1003は、以下のようにして、すなわち、
少なくとも1つの下りリンク制御シグナリングに示されている物理リソース、変調および符号化スキーム、ならびに並列HARQ回数パラメータに基づいて、並列HARQ方式でデータを送信または受信して、
並列HARQ方式でデータを送信または受信するように特に構成される。
【０１０３】
第5の実装では、少なくとも1つの下りリンク制御シグナリングのそれぞれは、HARQ方式でデータを送信または受信するためにユーザ機器によって使用されるすべての物理リソースのうちの少なくとも1つを含む。
【０１０４】
送受信機1003は、少なくとも1つの下りリンク制御シグナリングで示される物理リソースに基づいて、かつ以下のようにして、すなわち、
少なくとも1つの下りリンク制御シグナリングに示されたすべての物理リソースに基づいて、並列HARQ方式でデータを送信または受信して、
並列HARQ方式でデータを送信または受信するように特に構成される。
【０１０５】
第6の実装では、プロセッサ1002は、ユーザ機器が少なくとも2つの下りリンク制御シグナリングを受信し、かつすべての下りリンク制御シグナリングが同じ物理リソースを含む場合、送受信機1003が少なくとも1つの下りリンク制御シグナリングに基づいて、並列HARQ方式でデータを送信または受信する前に、少なくとも2つの下りリンク制御シグナリングの合成復号を行うようにさらに構成される。
【０１０６】
第7の実装では、プロセッサ1002は、少なくとも1つの下りリンク制御シグナリングを受信する前に、第1のキャリアパラメータを受信するように送受信機1003するようにさらに構成され、第1のキャリアパラメータは、少なくとも1つの下りリンク制御シグナリングを受信するためにユーザ機器によって使用される第1のキャリアを示すために使用される。
【０１０７】
送受信機1003は、少なくとも1つの下りリンク制御シグナリングを以下のように、すなわち、
第1のキャリアパラメータによって示される前記第1のキャリアに従って少なくとも1つの下りリンク制御シグナリングを受信して、
受信するように特に構成される。
【０１０８】
第8の実装では、プロセッサ1002は、
送受信機1003が並列HARQ方式でデータを送信または受信する前に、第2のキャリアパラメータを判定するようにさらに構成され、第2のキャリアパラメータは、並列HARQ方式でデータを送信または受信するために通信装置1000によって使用される第2のキャリアを示すために使用される。
【０１０９】
送受信機1003は、以下のようにして、すなわち、
第2のキャリアパラメータによって示される第2のキャリアに従って並列HARQ方式でデータを送信または受信して、
並列HARQ方式でデータを送信または受信するように特に構成される。
【０１１０】
第9の実装では、プロセッサ1002は、
第2のキャリアが少なくとも2つのキャリアを含む場合、送受信機1003が、第2のキャリアパラメータが示す第2のキャリアに従って、並列HARQ方式でデータを送信または受信する前に、第2のキャリアに含まれる少なくとも2つのサブキャリアを1つの仮想キャリアとして構成する
ようにさらに構成される。
【０１１１】
送受信機1003は、第2のキャリアパラメータによって示される第2のキャリアに従って、以下のようにして、すなわち、
仮想キャリア上で並列HARQ方式でデータを送信または受信して、
並列HARQ方式でデータを送信または受信するように特に構成される。
【０１１２】
第10の実装では、プロセッサ1002は、
並列HARQ通信命令を受信する前に、通信装置1000が並列HARQ方式でデータの送信または受信をサポートすることを表すために使用されるケイパビリティ情報を送信するように送受信機1003を制御するようにさらに構成される。
【０１１３】
第11の実装では、ケイパビリティ情報は、並列HARQ方式でデータの送信または受信をサポートするために通信装置1000によって使用される並列HARQの回数を含む。
【０１１４】
第12の実装では、並列HARQ方式でデータの送信または受信をサポートするために通信装置1000によって使用される並列HARQの回数は、キャリアアグリゲーションのためのキャリアのものであり、かつ通信装置1000によってサポートされ得る回数である。
【０１１５】
第13の実装では、プロセッサは、並列HARQ方式でデータを送信または受信した後、少なくとも1つのフィードバックリソースを使用してフィードバック情報を送信または受信するように送受信機1003を制御するようにさらに構成される。フィードバックリソースは、下りリンク制御シグナリングで使用される物理リソースに従って判定される上りリンク伝送リソース、または並列HARQ方式でデータを送信するために使用される物理リソースに従って判定される下りリンク伝送リソースである。
【０１１６】
本発明の実施形態において提供される通信装置100および通信装置1000は、並列HARQ通信命令に従って並列HARQ方式でデータを送信または受信する。同じ内容を有する少なくとも1つのデータパケットは、同じ送信時間内に送信または受信され、その結果、データパケットは並列に送信または受信され、遅延を低減することができる。加えて、同じ送信時間内に複数のデータパケットを送信または受信し、その結果、データ伝送の信頼性も向上する。
【０１１７】
本発明の一実施形態は、ネットワーク装置200をさらに提供する。図2Aは、本発明の本実施形態において提供されるネットワーク装置200の構成の概略図を示す。図2Aに示すように、ネットワーク装置200は、判定ユニット201と送信ユニット202とを備える。
【０１１８】
判定ユニット201は、並列ハイブリッド自動再送要求HARQ通信命令を判定するように構成され、並列HARQ通信命令は、並列HARQ方式でデータを送信または受信するようにユーザ機器に命令するために使用される。
【０１１９】
送信ユニット202は、並列HARQ通信命令をユーザ機器に送信するように構成される。
【０１２０】
並列HARQ方式でデータを送信することは、同じ送信時間間隔内に同じ内容の少なくとも1つのデータパケットを送信することであり、並列HARQ方式でデータを受信することは、同じ送信時間間隔内に同じ内容の少なくとも1つのデータパケットを受信し、かつ受信した同じ内容の少なくとも1つのデータパケットに対して合成復号を行うことである。
【０１２１】
第1の実装では、送信ユニット202は、判定ユニット201により判定された並列HARQ通信命令に従って、並列HARQ方式でデータを送信するようにさらに構成される。
【０１２２】
図2Bに示すように、ネットワーク装置は、受信ユニット203をさらに備える。
【０１２３】
受信ユニット203は、判定ユニット201により判定された並列HARQ通信命令に従って、並列HARQ方式でデータを受信するように構成される。
【０１２４】
第2の実装では、並列HARQ通信命令は、HARQ構成パラメータである。
【０１２５】
HARQ構成パラメータは、並列HARQ方式でデータを送信または受信するためにユーザ機器によって使用される構成パラメータである。
【０１２６】
第3の実装では、HARQ構成パラメータは、並列HARQ方式でデータを送信または受信するためにユーザ機器が使用する並列HARQ回数パラメータを含む。
【０１２７】
並列HARQ回数パラメータは、並列HARQの最大回数または並列HARQの具体的な回数を含む。
【０１２８】
第4の実装では、図2Cに示すように、ネットワーク装置は、構成ユニット204をさらに備える。構成ユニット204は、少なくとも1つの下りリンク制御シグナリングを構成するように構成される。
【０１２９】
少なくとも1つの下りリンク制御シグナリングは、並列HARQ方式でデータを送信または受信するためにユーザ機器によって使用される物理リソースと、変調および符号化スキームと、並列HARQ回数パラメータと、を含む。
【０１３０】
送信ユニット202は、構成ユニット204によって構成された少なくとも1つの下りリンク制御シグナリングをユーザ機器に送信するようにさらに構成される。
【０１３１】
第5の実装では、少なくとも1つの下りリンク制御シグナリングのそれぞれは、HARQ方式でデータを送信または受信するためにユーザ機器によって使用されるすべての物理リソースのうちの少なくとも1つを含む。
【０１３２】
第6の実装では、少なくとも2つの下りリンク制御シグナリングが存在し、すべての下りリンク制御シグナリングは、同じ物理リソースを含む。
【０１３３】
第7の実装では、構成ユニット204は、
第1のキャリアパラメータを構成するようにさらに構成され、第1のキャリアパラメータは、少なくとも1つの下りリンク制御シグナリングを受信するためにユーザ機器によって使用される第1のキャリアを示すために使用される。
【０１３４】
送信ユニット202は、第1のキャリアパラメータをユーザ機器に送信するようにさらに構成される。
【０１３５】
第8の実装では、ネットワーク装置は、構成ユニット204であって、
第2のキャリアパラメータを構成するように構成され、第2のキャリアパラメータは、並列HARQ方式でデータを送信または受信するためにユーザ機器によって使用される第2のキャリアを示すために使用される、構成ユニットを備える。
【０１３６】
送信ユニット202は、第2のキャリアパラメータをユーザ機器に送信するようにさらに構成される。
【０１３７】
第9の実装では、送信ユニット202は、
第2のキャリアが少なくとも2つのキャリアを含む場合、ユーザ機器に命令情報を送信する
ようにさらに構成される。
【０１３８】
命令情報は、第2のキャリアに含まれる少なくとも2つのサブキャリアを1つの仮想キャリアとして構成するようにユーザ機器に指示するために使用される。
【０１３９】
第10の実装では、ネットワーク装置は受信ユニット203を備える。
【０１４０】
受信ユニット203は、判定ユニット201が並列ハイブリッド自動再送要求HARQ通信命令を判定する前に、ユーザ機器が並列HARQ方式でデータの送信または受信をサポートすることを表すためにユーザ機器によって送信されたケイパビリティ情報を受信するように構成される。
【０１４１】
第11の実装では、ネットワーク装置は受信ユニット203を備える。
【０１４２】
受信ユニット203は、少なくとも1つの上りリンクフィードバックリソースを使用して、ユーザ機器によって送信されたフィードバック情報を受信するように構成され、少なくとも1つの上りリンクフィードバックリソースは、下りリンク制御シグナリングによって使用される物理リソースに従って判定された伝送リソースである。
【０１４３】
送信ユニット202は、
少なくとも1つの下りリンクフィードバックリソースを使用して、フィードバック情報をユーザ機器に送信するようにさらに構成され、少なくとも1つの下りリンクフィードバックリソースは、並列HARQ方式でデータを送信するために使用される物理リソースに従って判定された伝送リソースである。
【０１４４】
本発明の一実施形態は、ネットワーク装置2000をさらに提供する。図2Dに示すように、本発明の本実施形態で提供されるネットワーク装置2000は、メモリ2001と、プロセッサ2002と、送信機2003と、を備える。本発明の本実施形態では：
【０１４５】
メモリ2001は、プロセッサ2002によって実行されるプログラムコードを格納するように構成される。
【０１４６】
プロセッサ2002は、メモリ2001に格納されたプログラムを呼び出し、並列HARQ通信命令を判定するように構成され、並列HARQ通信命令は、並列HARQ方式でデータを送信または受信するようにユーザ機器に命令するために使用される。  並列HARQ方式でデータを送信することは、同じ送信時間間隔内に同じ内容の少なくとも1つのデータパケットを送信することであり、並列HARQ方式でデータを受信することは、同じ送信時間間隔内に同じ内容の少なくとも1つのデータパケットを受信し、かつ受信した同じ内容の少なくとも1つのデータパケットに対して合成復号を行うことである。
【０１４７】
送信機2003は、並列HARQ通信命令をユーザ機器に送信するように構成される。
【０１４８】
第1の実装では、送信機2003は、並列HARQ方式でデータを送信するようにさらに構成される。
【０１４９】
図2Eに示すように、ネットワーク装置2000は、受信機2004をさらに備える。
【０１５０】
受信機2004は、並列HARQ方式でデータを受信するように構成される。
【０１５１】
第2の実装では、並列HARQ通信命令は、HARQ構成パラメータである。
【０１５２】
HARQ構成パラメータは、並列HARQ方式でデータを送信または受信するためにユーザ機器によって使用される構成パラメータである。
【０１５３】
第3の実装では、HARQ構成パラメータは、並列HARQ方式でデータを送信または受信するためにユーザ機器が使用する並列HARQ回数パラメータを含む。
【０１５４】
並列HARQ回数パラメータは、並列HARQの最大回数または並列HARQの具体的な回数を含む。
【０１５５】
第4の実装では、プロセッサ2002は、少なくとも1つの下りリンク制御シグナリングを構成するようにさらに構成される。
【０１５６】
少なくとも1つの下りリンク制御シグナリングは、並列HARQ方式でデータを送信または受信するためにユーザ機器によって使用される物理リソースと、変調および符号化スキームと、並列HARQ回数パラメータと、を含む。
【０１５７】
送信機2003は、ユーザ機器に少なくとも1つの下りリンク制御シグナリングを送信するようにさらに構成される。
【０１５８】
第5の実装では、少なくとも1つの下りリンク制御シグナリングのそれぞれは、HARQ方式でデータを送信または受信するためにユーザ機器によって使用されるすべての物理リソースのうちの少なくとも1つを含む。
【０１５９】
第6の実装では、少なくとも2つの下りリンク制御シグナリングが存在し、すべての下りリンク制御シグナリングは、同じ物理リソースを含む。
【０１６０】
第7の実装では、プロセッサ2002は、
第1のキャリアパラメータを構成するようにさらに構成され、第1のキャリアパラメータは、少なくとも1つの下りリンク制御シグナリングを受信するためにユーザ機器によって使用される第1のキャリアを示すために使用される。
【０１６１】
送信機2003は、第1のキャリアパラメータをユーザ機器に送信するようにさらに構成される。
【０１６２】
第8の実装では、プロセッサ2002は、
第2のキャリアパラメータを構成するようにさらに構成され、第2のキャリアパラメータは、並列HARQ方式でデータを送信または受信するためにユーザ機器によって使用される第2のキャリアを示すために使用される。
【０１６３】
送信機2003は、第2のキャリアパラメータをユーザ機器に送信するようにさらに構成される。
【０１６４】
第9の実装では、送信機2003は、
第2のキャリアが少なくとも2つのキャリアを含む場合、ユーザ機器に命令情報を送信するようにさらに構成される。
【０１６５】
命令情報は、第2のキャリアに含まれる少なくとも2つのサブキャリアを1つの仮想キャリアとして構成するようにユーザ機器に指示するために使用される。
【０１６６】
第10の実装では、ネットワーク装置2000は受信機2004を備え、受信機2004は、判定ユニット201が並列ハイブリッド自動再送要求HARQ通信命令を判定する前に、ユーザ機器が並列HARQ方式でデータの送信または受信をサポートすることを表すためにユーザ機器によって送信されたケイパビリティ情報を受信するように構成される。
【０１６７】
第11の実装では、ネットワーク装置2000は受信機2004を備え、受信機2004は、少なくとも1つの上りリンクフィードバックリソースを使用して、ユーザ機器によって送信されたフィードバック情報を受信するように構成され、少なくとも1つの上りリンクフィードバックリソースは、下りリンク制御シグナリングによって使用される物理リソースに従って判定された伝送リソースである。  送信機2003は、少なくとも1つの下りリンクフィードバックリソースを使用して、フィードバック情報をユーザ機器に送信するようにさらに構成され、少なくとも1つの下りリンクフィードバックリソースは、並列HARQ方式でデータを送信するために使用される物理リソースに従って判定された伝送リソースである。
【０１６８】
本発明の実施形態で提供されるネットワーク装置200およびネットワーク装置2000は、並列HARQ通信命令を判定し、判定された並列HARQ通信命令をユーザ機器に送信し、その結果、ユーザ機器は、並列HARQ方式でデータを送信または受信し、ネットワーク装置200は、並列HARQ通信命令に従って並列HARQ方式でデータを送信または受信することもできる。従って、同じ内容を有する少なくとも1つのデータパケットは、同じ送信時間内に送信または受信され、その結果、データパケットは並列に送信または受信され、遅延を低減することができる。加えて、同じ送信時間内に複数のデータパケットを送信または受信し、その結果、データ伝送の信頼性も向上する。
【０１６９】
本発明の上述の実施形態におけるメモリは、読み出し専用メモリ（英語：read−only memory、略称ROM）またはランダムアクセスメモリ（英語：random access memory、略称RAM）であってもよいし、電気的に消去可能なプログラマブル読み取り専用メモリ（英語Electrically Erasable Programmable Read−Only Memory、略称EEPROM）、磁気ディスク記憶媒体もしくは別の磁気記憶装置、あるいは所期のプログラムコードを命令またはデータ構造の形態で運ぶ、もしくは記憶するために使用でき、かつコンピュータによってアクセスできる任意の他の媒体であってもよいことに留意されたい。しかしながら、メモリはこれに限定されるものではない。例えば、メモリは、上述のメモリの組み合わせであってもよい。
【０１７０】
本発明の実施形態におけるプロセッサは、汎用中央処理装置であってもよい。
【０１７１】
本発明の一実施形態は、通信システム300をさらに提供する。図3に示すように、通信システムは、ユーザ機器301とネットワーク装置302とを含む。
【０１７２】
ユーザ機器301およびネットワーク装置302は、並列HARQ伝送のための通信ネゴシエーションを行う、つまり、並列HARQ通信命令を判定し、並列HARQ方式で送信または受信を行うと判定した場合、並列HARQ方式でデータを送信または受信する。
【０１７３】
本発明の本実施形態では、ユーザ機器301は、図1A〜図1Dに示す通信装置100または通信装置1000であり得、ネットワーク装置302は、図2A〜図2Eに示すネットワーク装置200またはネットワーク装置2000であり得る。ユーザ機器301は、ネットワーク装置302によって判定された並列HARQ通信命令を受信し、並列HARQ方式でデータを送信または受信することができる。本発明の本実施形態では、ユーザ機器301の実行機能については、本発明の本実施形態では細部をここでは繰り返し説明しないが、通信装置100または通信装置1000に関する関連説明を参照することができる。並列HARQ方式でデータを送信または受信する通信方法であって、ユーザ機器301が特に実行する通信方法については、以下の関連実施形態の説明を参照することができる。
【０１７４】
本発明の本実施形態では、ネットワーク装置302は、図1A〜図1Dに示す通信装置100または通信装置1000であってもよいし、図2A〜図2Eに示すネットワーク装置200またはネットワーク装置2000であってもよく、特定のアプリケーションにおいては対応する機能を実装する。本発明の本実施形態において、ここでは細部を繰り返し説明しない。
【０１７５】
本発明の実施形態において提供される通信方法によれば、通信装置は、並列HARQ通信命令を判定し、並列HARQ通信命令に従って並列HARQ方式でデータを送信または受信する。本発明の実施形態では、並列HARQ通信命令は、並列HARQ方式でデータを送信または受信するように通信装置に命令するために使用される。例えば、並列HARQ通信命令は、並列HARQ方式でデータを送信または受信するために通信装置によって使用されるHARQ構成パラメータであってもよい。通信装置によって並列HARQ方式でデータを送信することは、通信装置によって同じ送信時間間隔内に同じ内容の少なくとも1つのデータパケットを送信することであり、通信装置によって並列HARQ方式でデータを受信することは、通信装置によって同じ送信時間間隔内に同じ内容の少なくとも1つのデータパケットを受信し、かつ受信した同じ内容の少なくとも1つのデータパケットに対して合成復号を行うことである。
【０１７６】
本発明の実施形態では、通信装置は、例えばHARQ構成パラメータに含まれるキャリア情報を判定し、判定されたキャリア情報に示されるキャリア上で並列HARQ方式でデータを送信または受信することができる。通信装置は、キャリア情報に示されたキャリアが少なくとも2つのキャリアを含む場合、キャリアに含まれる少なくとも2つのサブキャリアを1つの仮想キャリアとしてさらに構成し、仮想キャリア上で並列HARQ方式でデータを送信または受信する。
【０１７７】
本発明の実施形態における通信装置は、ネットワーク装置であってもよいし、ユーザ機器であってもよい。
【０１７８】
本発明は、以下の具体的な実施形態を参照して、本発明の実施形態において提供される通信方法を詳細に説明する。
【０１７９】
図4は、本発明の一実施形態による通信方法の流れ図である。図4に示す通信方法は、ユーザ機器によって実行される、すなわち、通信装置はユーザ機器である。図4に示すように、本方法は、以下のステップを含む。
【０１８０】
S101．ユーザ機器は、並列HARQ通信命令を判定する。
【０１８１】
本発明の本実施形態では、並列HARQ通信命令は、並列HARQ方式でデータを送信または受信するようにユーザ機器に命令するために使用される。
【０１８２】
ユーザ機器によって並列HARQ方式でデータを送信することは、ユーザ機器によって同じ送信時間間隔内に同じ内容の少なくとも1つのデータパケットを送信することである。例えば、ユーザ機器は、同じ内容の少なくとも1つのデータパケットを、TTI（Transmission Time Interval）などの同じ送信時間間隔内で異なる物理リソース上の基地局に送信することができる。
【０１８３】
具体的には、同じ内容は、MACサービスデータユニット（Media Access Control Service Data Unit、MAC SDU）に含まれる内容が完全に同一である、または媒体アクセス制御パケットデータユニット（Medium Access Control Packet Data Unit、MAC PDU）が全く同じである、またはトランスポートブロック（Transport Block、TB）の内容が同じであるとして理解できる。
【０１８４】
ユーザ機器によって並列HARQ方式でデータを受信することは、ユーザ機器によって同じ送信時間間隔内に同じ内容の少なくとも1つのデータパケットを受信し、かつ受信した同じ内容の少なくとも1つのデータパケットに対して合成復号を行うことである。例えば、ユーザ機器は、TTIなどの同じ送信時間間隔内で異なる物理リソース上で基地局によって送信された同じ内容の少なくとも1つのデータパケットを受信し、同じ内容の複数のデータパケットに対して合成復号を行って、データ復号の成功率をさらに高めることができる。
【０１８５】
具体的には、合成復号は、ユーザ機器が同じ内容の複数のデータパケットに対して合成復号を直接行うこと、またはユーザ機器が複数のデータパケットのうちのいくつかについて復号をまず行い、復号が成功しない場合、同じ内容の複数のデータパケットすべてに対して合成復号を行うことであり得る。具体的な復号手順は、本発明において限定されない。
【０１８６】
本発明の本実施形態では、ユーザ機器がデータを送信または受信する具体的な送信時間間隔は、本発明の本実施形態では限定されないことに留意されたい。
【０１８７】
本発明の本実施形態では、ユーザ機器によって判定された並列HARQ通信命令は、eNBなどのネットワーク装置によって送信され、ユーザ機器は、ネットワーク装置によって送信された並列HARQ通信命令を受信することにさらに留意されたい。本発明の本実施形態はこれに限定されない。
【０１８８】
S102．ユーザ機器は、並列HARQ通信命令に従って並列HARQ方式でデータを送信または受信する。
【０１８９】
本発明の本実施形態では、ユーザ機器によって並列HARQ方式でデータを送信することは、ユーザ機器によって上りリンクデータをeNBなどのネットワーク装置に送信することであってもよい。
【０１９０】
具体的には、ユーザ機器が並列HARQ方式で上りリンクデータを送信する場合、ユーザ機器は、並列伝送のために複数の異なる物理リソース（少なくとも1つの異なる時間領域、周波数領域、コード領域などを含む）に上りリンクデータをマッピングするために、eNBなどのネットワーク装置の、上りリンクリンクグラントなどのコマンドと、上りリンクHARQ構成パラメータなどの並列HARQ通信命令と、に従って、複数のHARQ伝送を同時に行う。
【０１９１】
本発明の本実施形態では、ユーザ機器によって並列HARQ方式でデータを受信することは、ユーザ機器によってeNBなどのネットワーク装置が送信した下りリンクデータを受信することであってもよい。
【０１９２】
具体的には、ユーザ機器が並列HARQ方式で下りリンクデータを受信する場合、ユーザ機器は、eNBなどのネットワーク装置の、下りリンクリンク割り当て（DL Assignment）などのコマンドと、下りリンクHARQ構成パラメータなどの並列HARQ通信命令と、に従って、複数のHARQ伝送を同時に行うことができ、例えば、複数の異なる物理リソース（時間、周波数領域、コード領域など）に対して並列伝送を行うことができる。さらに、ユーザ機器は、並列に送信された複数のデータに対して合成復号を行ってもよい。
【０１９３】
具体的には、本発明の本実施形態では、eNBによって送信されたコマンドに、並列HARQ方式で上りリンクデータを送信する、または並列HARQ方式で下りリンクデータを受信するためにユーザ機器によって使用される物理リソースを示すことができる。例えば、複数の並列HARQ伝送に使用されるすべての物理リソースに関する情報は、eNBによって送信されたコマンドで運ばれてもよいし、複数の並列HARQ伝送に使用される物理リソースの一部に関する情報が、eNBによって送信されたコマンドで運ばれ、別の物理リソースに関する情報が、HARQ構成パラメータなどの並列HARQ通信命令に示されてもよい。例えば、eNBによって送信されるコマンドは物理リソース1を示し、別の物理リソースは構成パラメータによって示される。あるいは、物理リソースの一部は、eNBによって送信されたコマンドによって示され、別の物理リソースは、HARQ構成パラメータ内のルールなどの並列HARQ通信命令と、eNBによって送信されたコマンドと、によって示される。例えば、eNBによって送信されるコマンドは、物理リソース1を示し、HARQ構成パラメータのルールは、物理リソースが連続的に使用されることであり、従って、ユーザ機器は、コマンドおよびルールに従って、使用されたすべての物理リソースを判定することができる。
【０１９４】
本発明の本実施形態では、ユーザ機器は、並列HARQ通信命令に従って並列HARQ方式でデータを送信または受信する。同じ内容を有する少なくとも1つのデータパケットは、同じ送信時間間隔内に送信または受信され、その結果、データパケットは並列に送信または受信され、遅延を低減することができる。加えて、同じ送信時間内に複数のデータパケットを送信または受信し、その結果、データ伝送の信頼性も向上する。
【０１９５】
場合により、本発明の本実施形態では、並列HARQ通信命令は、HARQ構成パラメータであってよく、HARQ構成パラメータは、並列HARQ方式でデータを送信または受信するためにユーザ機器によって使用される構成パラメータである。具体的な実行プロセスは、図5に示され、以下のステップを含む。
【０１９６】
S201．ユーザ機器は、HARQ構成パラメータを受信する。
【０１９７】
場合により、本発明の本実施形態では、HARQ構成パラメータは、並列HARQ方式でデータを送信または受信するためにユーザ機器が使用する並列HARQ回数パラメータを含み得る。並列HARQ回数パラメータは、ユーザ機器がデータを送信または受信するたびに実行される並列HARQの最大回数または具体的な回数を含む。
【０１９８】
本発明の本実施形態では、並列HARQ回数パラメータが並列HARQの最大回数を含む場合、データを送信または受信するときに実行される並列HARQの現在の具体的な回数は、下りリンク制御シグナリング通知方式などの別のシグナリング通知方式で通知されてよく、その結果、物理チャネルリソースのオーバーヘッドが低減され、ユーザ機器がデータを送信または受信するたびに異なる回数の並列HARQが使用されて、チャネル条件の変化に動的に適応し、低遅延かつ高信頼性のデータ送信または受信を確保できる。
【０１９９】
本発明の本実施形態では、実際の状況に応じて、HARQ構成パラメータには、異なる内容が含まれてもよいことに留意されたい。例えば、HARQ構成パラメータは、並列HARQ方式でデータを送信または受信するためにユーザ機器によって使用される、キャリア情報、フィードバックリソース情報などを示すために使用されるパラメータ情報をさらに含み得る。本発明の本実施形態はこれに限定されない。
【０２００】
本発明の本実施形態では、HARQ構成パラメータは、上りリンクHARQ構成パラメータと下りリンクHARQ構成パラメータとを含むことができることにさらに留意されたい。上りリンクHARQ構成パラメータは、並列HARQ方式でデータを送信するためにユーザ機器が必要とする構成パラメータを示すために使用され、下りリンクHARQ構成パラメータは、並列HARQ方式でデータを受信するためにユーザ機器が必要とする構成パラメータを示すために使用される。当然のことながら、本発明の本実施形態は上述の方式に限定されない。
【０２０１】
本発明の本実施形態では、ユーザ機器は、システムメッセージなどの無線リソース制御（Radio Resource Control、RRC）メッセージ、またはRRC接続再構成メッセージなどの専用RRCメッセージを使用して、HARQ構成パラメータを受信することができる。当然のことながら、HARQ構成パラメータの具体的な受信方式は、本発明の本実施形態では限定されない。例えば、HARQ構成パラメータは、物理層メッセージまたは媒体アクセス制御（Media Access Control、MAC）層メッセージを使用することによってさらに受信されてもよい。
【０２０２】
S202．ユーザ機器は、HARQ構成パラメータに従って並列HARQ方式でデータを送信または受信する。
【０２０３】
本発明の本実施形態では、ユーザ機器は、受信されたHARQ構成パラメータに従って、並列HARQ方式でデータを送信または受信し、その結果、データがより少ないシグナリングオーバーヘッドを用いて並列HARQ方式で送信または受信され、遅延が低減し、信頼性が向上する。
【０２０４】
場合により、本発明の本実施形態では、図4および図5に示す通信実行プロセスに基づいて、並列HARQ通信命令に従って並列HARQ方式でデータを送信または受信する前に、ユーザ機器は、下りリンク制御シグナリングをさらに受信し、下りリンク制御シグナリングに含まれ、かつ並列HARQ方式でデータを送信または受信するためにユーザ機器によって使用される、物理リソース、変調および符号化スキーム、ならびに並列HARQ回数パラメータに従って、並列HARQ方式でデータを送信または受信できる。本発明の本実施形態では、図5に示した方法に上述の実行方式を含む例を用いて説明する。図6に示すように、本方法は、以下のステップを含む。
【０２０５】
S301．ユーザ機器は、HARQ構成パラメータを受信する。
【０２０６】
S302．ユーザ機器は、少なくとも1つの下りリンク制御シグナリングを受信する。
【０２０７】
本発明の本実施形態では、少なくとも1つの下りリンク制御シグナリングは、並列HARQ方式でデータを送信または受信するためにユーザ機器によって使用される物理リソースと、変調および符号化スキームと、並列HARQ回数パラメータと、を含む。当然のことながら、本発明の本実施形態では、下りリンク制御シグナリングはまた、並列HARQ方式でデータを送信または受信するためにユーザ機器によって使用される物理リソース、変調および符号化スキーム、または並列HARQ回数パラメータのうちの少なくとも1つを含む。別の方式では、ユーザ機器は、下りリンク制御シグナリングに含まれない情報が通知され得る、例えば、HARQ構成パラメータが通知のために使用され得る。
【０２０８】
本発明の本実施形態では、下りリンク制御シグナリングに含まれる並列HARQ回数パラメータは、ユーザ機器がデータを送信または受信するたびに実行される並列HARQの最大回数または具体的な回数であり得ることに留意されたい。当然のことながら、ユーザ機器がデータを送信または受信するたびに実行される並列HARQの具体的な回数をHARQ構成パラメータが既に含む場合、並列HARQの具体的な回数は、下りリンク制御シグナリングに含める必要はない。
【０２０９】
S303．ユーザ機器は、HARQ構成パラメータに従って、かつ少なくとも1つの下りリンク制御シグナリングに従って、並列HARQ方式でデータを送信または受信する。
【０２１０】
本発明の本実施形態では、並列HARQ方式でデータを送信または受信するためにユーザ機器によって使用される物理リソース、変調および符号化スキーム、ならびに並列HARQ回数パラメータなどの情報が下りリンク制御シグナリング方式でユーザ機器に通知され、その結果、並列HARQを実行するためのすべてのパラメータ情報をHARQ通信命令に含める必要はない。
【０２１１】
本発明の本実施形態では、S301とS302とは任意の順序で実行してもよいし、S301とS302とを並列して実行してもよいし、図6に示す手順は説明のための一例に過ぎないことに留意されたい。
【０２１２】
本発明の本実施形態では、ユーザ機器は、システムメッセージなどの無線リソース制御（Radio Resource Control、RRC）メッセージ、またはRRC接続再構成メッセージなどの専用RRCメッセージを使用して、下りリンク制御シグナリングを受信することができる。当然のことながら、本発明の本実施形態では、下りリンク制御シグナリングの具体的な受信方式は限定されず、例えば、物理層メッセージまたは媒体アクセス制御（Media Access Control、MAC）層メッセージを使用して、下りリンク制御シグナリングをさらに受信してもよい。
【０２１３】
本発明の本実施形態では、少なくとも1つの下りリンク制御シグナリングは、物理層メッセージを使用することによってのみ受信されてもよい。場合により、少なくとも1つの下りリンク制御シグナリングが物理層メッセージを使用することによってのみ受信される場合、少なくとも1つの下りリンク制御シグナリングのそれぞれは、並列HARQ方式でデータを送信または受信するためにユーザ機器によって使用されるすべての物理リソースのうちの少なくとも1つを含む。
【０２１４】
具体的には、すべての物理リソースは、データが並列HARQ方式で送信または受信された場合にすべてのHARQの送信または受信に使用される物理リソースの集合である。
【０２１５】
具体的には、1つの下りリンク制御シグナリングがある場合、下りリンク制御シグナリングは、ユーザ機器によって使用されるすべての物理リソースを含んでもよいし、ユーザ機器によって使用されるすべての物理リソースのうちの物理リソースの一部を含んでもよい。下りリンク制御シグナリングがすべての物理リソースのうちの物理リソースの一部を含む場合、下りリンク制御シグナリングに含まれる物理リソースと所定のルールとを用いて、ユーザ機器が使用する別の物理リソースを取得してもよい。例えば、下りリンク制御シグナリングは物理リソースを含み、所定のルールは、周波数領域における下りリンク制御シグナリングに含まれる物理リソースに連続する物理リソースの予め設定された数が、使用するためにユーザ機器に割り当てられた物理リソースでもあることである。図7に示すように、下りリンク制御シグナリングに含まれる物理リソースはTB1であり、周波数領域においてTB1に続く次の物理リソースTB2も、ユーザ機器が使用する物理リソースである。当然のことながら、所定のルールは別の方式でもよい。例えば、周波数領域における下りリンク制御シグナリングに含まれる物理リソースと一定間隔の物理リソースは、使用するためにユーザ機器に割り当てられた物理リソースである。本発明の本実施形態はこれに限定されない。
【０２１６】
ユーザ機器は、下りリンク制御シグナリングまたは下りリンク制御シグナリングおよび所定のルールを用いて、HARQ方式でデータを送信または受信するために使用されるすべての物理リソースを取得し、すべての物理リソースを用いて並列HARQ方式でデータを送信または受信する。各物理リソースは、1つのHARQの送信または受信に対応する。
【０２１７】
具体的には、少なくとも2つの下りリンク制御シグナリングがある場合、少なくとも2つの下りリンク制御シグナリングは、ユーザ機器によって使用されるすべての物理リソースを含んでもよいし、ユーザ機器によって使用される物理リソースの一部を含んでもよい。同様に、下りリンク制御シグナリングがすべての物理リソースのうちの物理リソースの一部を含む場合、下りリンク制御シグナリングに含まれる物理リソースと所定のルールとを用いて、ユーザ機器が使用する別の物理リソースを取得してもよい。
【０２１８】
さらに、少なくとも2つの下りリンク制御シグナリングのすべてが、同じ物理リソースまたは異なる物理リソースを含むことができる。例えば、ユーザ機器が、下りリンク制御シグナリング1と下りリンク制御シグナリング2との2つの下りリンク制御シグナリングを受信し、物理リソース1と物理リソース2との2つの物理リソースを使用し、各物理リソースは、1つのHARQの送信または受信に対応する場合、以下のいくつかの方法があり得る。
【０２１９】
方式1：図8に示すように、下りリンク制御シグナリング1は物理リソース1を含み、下りリンク制御シグナリング2は物理リソース2を含む。
【０２２０】
方式2：図9に示すように、下りリンク制御シグナリング1は、物理リソース1と物理リソース2とを含み、下りリンク制御シグナリング2は、物理リソース1と物理リソース2とを含む。
【０２２１】
方式3：図10に示すように、下りリンク制御シグナリング1は、物理リソース1を含み、下りリンク制御シグナリング2は、物理リソース1を含み、ユーザ機器は、所定のルールを用いて物理リソース2を取得する。当然のことながら、下りリンク制御シグナリング1が物理リソース2を含み、下りリンク制御シグナリング2が物理リソース2を含み、ユーザ機器は、所定のルールを用いて物理リソース1を取得することも可能である。
【０２２２】
本発明の本実施形態では、1つのシグナリングが1つの物理リソースに対応する従来の方式とは対照的に、HARQ方式でデータを送信または受信するためにユーザ機器によって使用されるすべての物理リソースの少なくとも1つが少なくとも1つの下りリンク制御シグナリングのそれぞれに含まれる、上述の方式では、ユーザ機器は、すべての物理リソースを使用して、並列HARQ方式でデータを送信または受信し、このことにより、シグナリングオーバーヘッドを低減することができる。
【０２２３】
ユーザ機器が少なくとも2つの下りリンク制御シグナリングを受信し、かつすべての下りリンク制御シグナリングが同じ物理リソースを含む場合、例えば、上述の第2および第3の形式では、ユーザ機器が1つの下りリンク制御シグナリングを成功裏に復号することができれば、並列HARQ方式でデータを送信または受信するためにユーザ機器が使用する物理リソースを取得できる。従って、信頼性を向上させることができる。
【０２２４】
さらに、ユーザ機器が少なくとも2つの下りリンク制御シグナリングを受信し、かつすべての下りリンク制御シグナリングが同じ物理リソースを含む場合、ユーザ機器は、少なくとも2つの下りリンク制御シグナリングの合成復号を行って、下りリンク制御シグナリング伝送の信頼性をさらに向上し得る。具体的な実行プロセスは、図11に示され、以下のステップを含む。
【０２２５】
S401．ユーザ機器は、HARQ構成パラメータを受信する。
【０２２６】
S402．ユーザ機器は、少なくとも1つの下りリンク制御シグナリングを受信する。
【０２２７】
ユーザ機器は、少なくとも2つの下りリンク制御シグナリングを受信し、すべての下りリンク制御シグナリングは、同じ物理リソースを含む。
【０２２８】
S403．ユーザ機器は、少なくとも2つの下りリンク制御シグナリングの合成復号を行う。
【０２２９】
S404．ユーザ機器は、HARQ構成パラメータに従って、かつ少なくとも1つの下りリンク制御シグナリングに含まれる物理リソースに従って、すべての物理リソースを使用して、並列HARQ方式でデータを送信または受信する。
【０２３０】
場合により、本発明の本実施形態では、ユーザ機器が少なくとも1つの下りリンク制御シグナリングを受信する前に、以下のステップがさらに含まれる。
【０２３１】
S402a．ユーザ機器は、第1のキャリアパラメータを受信し、第1のキャリアパラメータは、少なくとも1つの下りリンク制御シグナリングを受信するためにユーザ機器によって使用される第1のキャリアを示すために使用される。
【０２３２】
このケースでは、ユーザ機器は、少なくとも1つの下りリンク制御シグナリングを特に以下のように、すなわち、
ユーザ機器によって、第1のキャリアパラメータによって示される前記第1のキャリアに従って少なくとも1つの下りリンク制御シグナリングを受信して、
受信し得る。
【０２３３】
本発明の本実施形態における実行ステップS402aを含む具体的な方法流れ図については、図12を参照することができる。
【０２３４】
場合により、ユーザ機器が並列HARQ方式でデータを送信または受信する前に、以下のステップがさらに含まれる。
【０２３５】
S404a．ユーザ機器は、第2のキャリアパラメータを受信し、第2のキャリアパラメータは、並列HARQ方式でデータを送信または受信するためにユーザ機器によって使用される第2のキャリアを示すために使用される。
【０２３６】
このケースでは、ユーザ機器は、具体的に以下のようにして、すなわち、
ユーザ機器によって、第2のキャリアパラメータによって示される第2のキャリアに従って並列HARQ方式でデータを送信または受信して、
並列HARQ方式でデータを送信または受信することができる。
【０２３７】
本発明の本実施形態における実行ステップS404aを含む具体的な方法流れ図については、図13を参照することができる。
【０２３８】
例えば、本発明の本実施形態において図13に示す方法実行プロセスの具体的な実装シナリオは、以下の2つのシナリオであり得る。
【０２３９】
シナリオ1：
【０２４０】
図14に示すように、第2のキャリアパラメータが示す第2キャリアがキャリア1である場合、ユーザ機器は、キャリア1上で並列HARQ方式でデータを送信または受信し、別のキャリア上では並列HARQでデータを送信または受信しない。
【０２４１】
シナリオ2：
【０２４２】
図15に示すように、第2のキャリアパラメータが示す第2キャリアがキャリア1およびキャリア2である場合、ユーザ機器は、キャリア1、キャリア2、またはキャリア1およびキャリア2上で並列HARQ方式でデータを送信または受信でき、別のキャリア上では並列HARQでデータを送信または受信しない。
【０２４３】
場合により、本発明の本実施形態では、ユーザ機器は、複数のキャリアにわたって並列HARQを実行するか否かを示すクロスキャリアパラメータ情報をさらに受信することができる。クロスキャリアパラメータ情報は、ユーザ機器が複数のキャリア上で並列HARQ方式でデータを送信または受信できるか否かを示すために使用される。ユーザ機器が、複数のキャリアにわたって並列HARQを実行するようにユーザ機器に指示するクロスキャリアパラメータ情報を受信する場合、ユーザ機器は、複数のキャリア上で並列HARQ方式でデータを送信または受信する。ユーザ機器が、複数のキャリアにわたって並列HARQを実行するようにユーザ機器に指示するクロスキャリアパラメータ情報を受信しない場合、ユーザ機器は、1つのキャリア上で並列HARQ方式でデータを送信または受信する。
【０２４４】
本発明の本実施形態では、ユーザ機器が並列HARQを実行することが許可されている場合、複数のキャリアは、ライセンスされたスペクトルキャリアであってもよいし、ライセンスされていないスペクトラムキャリアであってもよし、ライセンスされたスペクトルキャリアとライセンスされていないスペクトラムキャリアとの組み合わせであってもよい。このことは、本発明において限定されるものではない。
【０２４５】
本発明の本実施形態における図12に示す方法手順では、下りリンク制御シグナリングを受信するために使用される第1のキャリアを示すために使用される第1のキャリアパラメータの関数は、第2のキャリアパラメータの関数と同様であることに留意されたく、ここでは細部を繰り返し説明しない。
【０２４６】
本発明の本実施形態では、第2のキャリアパラメータは、1つ以上の第2のキャリアを示すことができる。さらに、2つ以上の第2のキャリアが存在する場合、すなわち少なくとも2つのキャリアが含まれる場合には、以下のステップをさらに含むことができる。
【０２４７】
S404b．第2のキャリアに含まれる少なくとも2つのサブキャリアを1つの仮想キャリアとして構成するための命令情報を受信する。
【０２４８】
このケースでは、ユーザ機器は、具体的に以下のようにして、すなわち、
第2のキャリアに含まれる少なくとも2つのサブキャリアを1つの仮想キャリアとして構成するための命令情報に従って、第2のキャリアに含まれる少なくとも2つのサブキャリアを1つの仮想キャリアとして構成し、仮想キャリア上で並列HARQ方式でデータを送信または受信して、
第2のキャリアパラメータによって示される第2のキャリアに従って、並列HARQ方式でデータを送信または受信することができる。
【０２４９】
本発明の本実施形態における実行ステップS404bを含む具体的な方法流れ図については、図16を参照することができる。
【０２５０】
例えば、本発明の本実施形態において図16に示す方法実行プロセスの具体的な実装シナリオは、以下のとおりであり得る。
【０２５１】
図17に示すように、ユーザ機器は、キャリア1とキャリア2とを1つの仮想キャリアとして構成するための命令情報を受信すると、ユーザ機器は、キャリア1とキャリア2とを1つの仮想キャリアとして構成し、仮想キャリア上で並列HARQ方式でデータを送信または受信する。
【０２５２】
本発明の本実施形態では、上述の第1のキャリアパラメータ、第2のキャリアパラメータ、クロスキャリア命令情報、および仮想キャリアを構成するための命令情報は、HARQ構成パラメータに構成されてもよいし、下りリンク制御シグナリングに構成されてもよい。本発明の本実施形態はこれに限定されない。
【０２５３】
場合により、本発明の本実施形態では、ユーザ機器が並列HARQ通信命令を受信する前に、本方法は、以下のステップをさらに含む。
【０２５４】
S401a．ユーザ機器は、ユーザ機器が並列HARQ方式でデータの送信または受信をサポートすることを表すために使用されるケイパビリティ情報を送信する。
【０２５５】
本発明の本実施形態における実行ステップS401aを含む具体的な方法流れ図については、図18を参照することができる。
【０２５６】
本発明の本実施形態では、ユーザ機器が送信し、ユーザ機器が並列HARQ方式でデータの送信または受信をサポートすることを表すために使用される、ケイパビリティ情報は、ユーザ機器が並列HARQ方式でデータの送信または受信をサポートするか否かを表すケイパビリティ情報であってもよいし、並列HARQ方式でデータを送信または受信するユーザ機器によって使用される並列HARQの回数を表すケイパビリティ情報であってもよい。
【０２５７】
例えば、ユーザ機器は、ユーザ機器がMの並列HARQ方式でデータの送信または受信をサポートすることを表すケイパビリティ情報を送信でき、Mは正の整数であり、例えば、Mは、1、2、3、4などであって、異なるユーザ機器は異なる並列HARQケイパビリティを有することを示し得る。
【０２５８】
本発明の本実施形態では、ユーザ機器が並列HARQ方式でデータの送信または受信をサポートするか否かを表すケイパビリティ情報のみをユーザ機器が送信し、ユーザ機器によってサポートされる並列HARQの具体的な回数を送信しない場合、ユーザ機器によってサポートされる並列HARQの特定回数を、プロトコル通知を使用して、または別の方式で指定できる。
【０２５９】
場合により、本発明の本実施形態では、使用することによってユーザ機器が並列HARQ方式でデータを送信または受信することをサポートする、並列HARQの回数は、以下の方式で具体的に判定できる。
【０２６０】
ユーザ機器は、キャリアアグリゲーションのためのキャリアのサポートされた数を判定し、判定されたキャリアの数を、使用することによってユーザ機器が並列HARQ方式でデータを送信または受信することをサポートする、並列HARQの回数として判定する。
【０２６１】
本発明の本実施形態では、ユーザ機器が、サポートされるキャリアアグリゲーションケイパビリティに従って、使用することによってユーザ機器が並列HARQ方式でデータを送信または受信することをサポートする、並列HARQの回数を判定するアプリケーションシナリオは、以下とおりであり得る。
【０２６２】
シナリオ1：
【０２６３】
ユーザ機器がキャリア1とキャリア2とのアグリゲーションをサポートしている場合、すなわち、キャリアアグリゲーションのためのキャリアのものであり、かつユーザ機器によってサポートされている数が2である場合、使用することによってユーザ機器が並列HARQ方式でデータを送信または受信することをサポートする、並列HARQの回数は2である、すなわち、ユーザ機器は、キャリア1、またはキャリア2、またはキャリア1およびキャリア2、またはキャリア1およびキャリア2以外の別のキャリア上で、HARQの回数を2として、並列HARQ方式でデータの送信または受信をサポートする。
【０２６４】
シナリオ2：
【０２６５】
ユーザ機器がキャリア3とキャリア4とキャリア5とのアグリゲーションをサポートしている場合、すなわち、キャリアアグリゲーションのためのキャリアのものであり、かつユーザ機器によってサポートされている数が3である場合、使用することによってユーザ機器が並列HARQ方式でデータを送信または受信することをサポートする、並列HARQの回数は3である、すなわち、ユーザ機器は、キャリア3、またはキャリア4、またはキャリア5、またはキャリア3、キャリア4およびキャリア5、またはキャリア3、キャリア4およびキャリア5以外の別のキャリア上で、HARQの回数を3として、並列HARQ方式でデータを送信または受信できる。
【０２６６】
シナリオ3：
【０２６７】
ユーザ機器がキャリア1とキャリア2とのアグリゲーションをサポートし、さらにキャリア3とキャリア4とキャリア5とのアグリゲーションをサポートしている場合、すなわち、キャリアアグリゲーションのためのキャリアのものであり、かつユーザ機器によってサポートされている最大数が3である場合、使用することによってユーザ機器が並列HARQ方式でデータを送信または受信することをサポートする、並列HARQの最大回数は3である、すなわち、ユーザ機器は、任意のサポートされたキャリア上または複数のランダムなサポートされたキャリア上で、HARQの回数を3として、並列HARQ方式でデータを送信または受信できる。
【０２６８】
場合により、本発明の本実施形態では、ユーザ機器が並列HARQ方式でデータを送信または受信した後、本方法は、以下のステップをさらに含む。
【０２６９】
S405．ユーザ機器は、少なくとも1つの上りリンクフィードバックリソースを使用してフィードバック情報を送信する、または少なくとも1つの下りリンクフィードバックリソースを使用してフィードバック情報を受信する。
【０２７０】
例えば、フィードバック情報は、ユーザ機器がデータを再送信するか再受信するかを示すために使用される肯定応答情報または否定応答情報を含むことができる。
【０２７１】
少なくとも1つの上りリンクフィードバックリソースは、ユーザ機器が受信した少なくとも1つの下りリンク制御シグナリングによって使用される物理リソースに従って判定された伝送リソースである。少なくとも1つの下りリンクフィードバックリソースは、並列HARQ方式でデータを送信または受信するためにユーザ機器によって使用される物理リソースに従って判定された伝送リソースである。例えば、上りリンクフィードバックリソースは、複数の下りリンク制御シグナリングのそれぞれを使用することによって判定でき、すなわち、複数の上りリンクフィードバックリソースがある。具体的には、複数の下りリンク制御シグナリングが存在する場合には、CCE（Control Channel Element、制御チャネル要素）などの物理リソースの位置に従って、マッピングにより上りリンクフィードバックリソースが取得され、次いで、複数のフィードバックリソースに従って、上りリンクフィードバックが行われる。あるいは、下りリンクフィードバックリソースは、複数の上りリンクHARQによって伝送される各伝送リソースを使用することによって判定され、すなわち、複数の下りリンクフィードバックリソースがある。具体的には、PRB（Physical Resource Block、物理リソースブロック）などの各上りリンクHARQ伝送リソースの位置に従って、マッピングにより下りリンクフィードバックリソースが取得され、次いで複数のフィードバックリソースに従って、下りリンクフィードバックが行われる。
【０２７２】
本発明の本実施形態における実行ステップS405を含む具体的な方法流れ図については、図19を参照することができる。
【０２７３】
具体的には、本発明の本実施形態では、ユーザ機器が並列HARQ方式で上りリンクデータを送信する場合、ユーザ機器は、少なくとも1つのフィードバックリソースを用いて、eNBなどのネットワーク装置によって送信されたフィードバック情報を受信して、データを再送信する必要があるか否かを判定し得る。ユーザ機器によって受信されたフィードバック情報が、eNBなどのネットワーク装置が上りリンクデータを成功裏に受信したことである場合、データを再送信する必要はない。ユーザ機器によって受信されたフィードバック情報が、eNBなどのネットワーク装置が上りリンクデータの受信に失敗したことである場合、ユーザ機器は並列HARQ方式でデータを再送信する。
【０２７４】
具体的には、本発明の本実施形態では、ユーザ機器が並列HARQ方式で下りリンクデータを受信する場合、ユーザ機器は、少なくとも1つのフィードバックリソースを用いて、eNBなどのネットワーク装置にフィードバック情報を送信する。ユーザ機器が下りリンクデータを成功裏に受信すると、ユーザ機器は上位層にデータを提出し、eNBなどのネットワーク装置に肯定応答メッセージを送信し、データを再受信する必要はない。データの受信に失敗すると、ユーザ機器は、eNBなどのネットワーク装置に否定応答メッセージを送信し、データを再受信する必要がある。
【０２７５】
場合により、本発明の本実施形態では、フィードバック情報は、フィードバック信頼性を向上させるために、少なくとも2つのフィードバックリソースを使用して送信または受信されてもよい。
【０２７６】
本発明の本実施形態では、フィードバック情報を送信するために使用されるフィードバックリソースの具体的な数は、プロトコル通知方式で示されてもよいし、HARQ構成パラメータ方式で示されてもよく、このことは本発明の本実施形態で限定されないことに留意されたい。
【０２７７】
本発明のさらに別の実施形態では、データを並列HARQ方式で送信または受信する通信方法がネットワーク装置によって実行される、すなわち、本発明の本実施形態における通信装置はネットワーク装置である。
【０２７８】
通信装置がネットワーク装置である場合、本発明の本実施形態において提供される並列HARQ方式でデータを送信または受信する通信方法の実装プロセスは、実行主体がユーザ機器である上述の実装プロセスと同様である。相違点は、ネットワーク装置が下りリンク制御シグナリングを受信せず、下りリンク制御シグナリングに含まれる情報に基づいて並列HARQ方式でデータを送信または受信しないことである。従って、通信装置がネットワーク装置である通信方法の実装プロセスについては、ここでの細部を説明せず、実行主体がユーザ機器である実装方法を参照することができる。
【０２７９】
図20は、本発明の一実施形態によるさらに別の通信方法の実装流れ図である。図20に示す方法は、ネットワーク装置によって実行される。図20に示すように、本方法は、以下のステップを含む。
【０２８０】
S501．ネットワーク装置は、並列HARQ通信命令を判定する。
【０２８１】
本発明の本実施形態では、並列HARQ通信命令は、並列HARQ方式でデータを送信または受信するようにユーザ機器に命令するために使用される。  並列HARQ方式でデータを送信することは、同じ送信時間間隔内に同じ内容の少なくとも1つのデータパケットを送信することであり、並列HARQ方式でデータを受信することは、同じ送信時間間隔内に同じ内容の少なくとも1つのデータパケットを受信し、かつ受信した同じ内容の少なくとも1つのデータパケットに対して合成復号を行うことである。
【０２８２】
本発明の本実施形態におけるネットワーク装置は、LTEシステムにおける発展形NodeB（eNB）であってもよいし、ユニバーサルモバイルテレコミュニケーションシステム（Universal Mobile Telecommunications System、UMTS）におけるNodeB（NodeB）であってもよいし、ユーザ機器と通信し、ユーザ機器のためのリソースを構成およびスケジューリングする別のネットワーク装置であってもよい。本発明の本実施形態はこれに限定されない。
【０２８３】
S502．ネットワーク装置は、並列HARQ通信命令をユーザ機器に送信する。
【０２８４】
本発明の本実施形態では、ネットワーク装置は、システムメッセージなどの無線リソース制御（Radio Resource Control、RRC）メッセージ、またはRRC接続再構成メッセージなどの専用RRCメッセージを使用して、並列HARQ通信命令を送信することができる。当然のことながら、本発明の本実施形態はこれに限定されない。例えば、並列HARQ通信命令は、物理層メッセージまたは媒体アクセス制御（Media Access Control、MAC）層メッセージを使用することによってさらに受信されてもよい。
【０２８５】
本発明の本実施形態では、ネットワーク装置は、並列HARQ通信命令をユーザ機器に送信し、その結果、ユーザ機器は、並列HARQ通信命令に従って、並列HARQ方式でデータを送信または受信することができる。同じ内容を有する少なくとも1つのデータパケットは、同じ送信時間間隔内に送信または受信され、その結果、データパケットは並列に送信または受信され、遅延を低減することができる。加えて、同じ送信時間内に複数のデータパケットを送信または受信し、その結果、データ伝送の信頼性も向上する。
【０２８６】
場合により、本発明の本実施形態では、ネットワーク装置によって判定される並列HARQ通信命令は、HARQ構成パラメータであってもよい。  HARQ構成パラメータは、並列HARQ方式でデータを送信または受信するためにユーザ機器によって使用される構成パラメータである。
【０２８７】
本発明の本実施形態では、並列HARQ通信命令として使用されるHARQ構成パラメータに含まれるべき実際の状況に従って、異なる構成パラメータを設定することができる。例えば、本発明の本実施形態では、HARQ構成パラメータは、並列HARQ方式でデータを送信または受信するためにユーザ機器によって使用される並列HARQ回数パラメータなどのパラメータ情報と、並列HARQ方式でデータを送信または受信するためにユーザ機器に指示するために使用されるキャリア情報と、フィードバックリソース情報と、を含み得る。本発明の本実施形態はこれに限定されない。
【０２８８】
本発明の本実施形態における任意の方式では、HARQ構成パラメータは並列HARQ回数パラメータを含み、並列HARQ回数パラメータは、ユーザ機器がデータを送信または受信するたびに行われる並列HARQの最大回数または具体的な回数を含む。
【０２８９】
本発明の本実施形態では、並列HARQ回数パラメータが並列HARQの最大回数を含む場合、データを送信または受信するときに実行される並列HARQの現在の具体的な回数は、下りリンク制御シグナリング通知方式などの別のシグナリング通知方式で通知されてよく、その結果、物理チャネルリソースのオーバーヘッドが低減され、ユーザ機器がデータを送信または受信するたびに異なる回数の並列HARQが使用されて、チャネル条件の変化に動的に適応し、低遅延かつ高信頼性のデータ送信または受信を確保できる。
【０２９０】
本発明の本実施形態では、HARQ構成パラメータは、上りリンクHARQ構成パラメータと下りリンクHARQ構成パラメータとを含むことができることに留意されたい。上りリンクHARQ構成パラメータは、並列HARQ方式でデータを送信するためにユーザ機器が必要とする構成パラメータを示すために使用され、下りリンクHARQ構成パラメータは、並列HARQ方式でデータを受信するためにユーザ機器が必要とする構成パラメータを示すために使用される。当然のことながら、本発明の本実施形態は上述の方式に限定されない。
【０２９１】
本発明の本実施形態では、並列HARQ通信命令としてHARQ構成パラメータを使用し、その結果、ユーザ機器は、受信されたHARQ構成パラメータに従って並列HARQ方式でデータを送信または受信する。このようにして、より少ないシグナリングオーバーヘッドを使用して並列HARQ方式でデータが送信または受信され、遅延が低減し、信頼性が向上する。
【０２９２】
場合により、本発明の本実施形態では、ネットワーク装置は、少なくとも1つの下りリンク制御シグナリングを構成することができる。少なくとも1つの下りリンク制御シグナリングは、並列HARQ方式でデータを送信または受信するためにユーザ機器によって使用される物理リソース、変調および符号化スキーム、ならびに並列HARQ回数パラメータなどの情報を含む。
【０２９３】
本発明の本実施形態では、図20に示す方法手順に基づいて、構成された下りリンク制御シグナリングのうちの少なくとも1つがユーザ機器にさらに送信されてもよい。下りリンク制御シグナリングは、並列HARQ方式でデータを送信または受信するためにユーザ機器によって使用される物理リソース、変調および符号化スキーム、ならびに並列HARQ回数パラメータなどの情報を通知するために使用される。図21に示すように、本方法は、以下のステップをさらに含む。
【０２９４】
S503．ネットワーク装置は、少なくとも1つの下りリンク制御シグナリングを構成する。
【０２９５】
少なくとも1つの下りリンク制御シグナリングは、並列HARQ方式でデータを送信または受信するためにユーザ機器によって使用される物理リソース、変調および符号化スキーム、ならびに並列HARQ回数パラメータなどの情報を含む。本発明の本実施形態では、下りリンク制御シグナリングに含まれる具体的な情報は、構成パラメータに含まれる内容を参照してそれに応じて変更することができる。HARQ構成パラメータに含まれる情報を、下りリンク制御シグナリング方式で再通知する必要はない。例えば、下りリンク制御シグナリングに含まれる並列HARQ回数パラメータは、ユーザ機器がデータを送信または受信するたびに行われる並列HARQの最大回数または特定回数であり得、ユーザ機器がデータを送信または受信するたびに実行される並列HARQの具体的な回数をHARQ構成パラメータが既に含む場合、並列HARQの具体的な回数は、下りリンク制御シグナリングに含める必要はない。
【０２９６】
場合により、少なくとも1つの下りリンク制御シグナリングのそれぞれは、並列HARQ方式でデータを送信または受信するためにユーザ機器によって使用されるすべての物理リソースのうちの少なくとも1つを含む。
【０２９７】
具体的には、すべての物理リソースは、データが並列HARQ方式で送信または受信された場合にすべてのHARQの送信または受信に使用される物理リソースの集合である。
【０２９８】
具体的には、1つの下りリンク制御シグナリングがある場合、下りリンク制御シグナリングは、ユーザ機器によって使用されるすべての物理リソースを含んでもよいし、ユーザ機器によって使用されるすべての物理リソースのうちの物理リソースの一部を含んでもよい。下りリンク制御シグナリングがすべての物理リソースのうちの物理リソースの一部を含む場合、下りリンク制御シグナリングに含まれる物理リソースと所定のルールとを用いて、ユーザ機器が使用する別の物理リソースを取得してもよい。
【０２９９】
具体的には、少なくとも2つの下りリンク制御シグナリングがある場合、少なくとも2つの下りリンク制御シグナリングは、ユーザ機器によって使用されるすべての物理リソースを含んでもよいし、ユーザ機器によって使用される物理リソースの一部を含んでもよい。同様に、下りリンク制御シグナリングがすべての物理リソースのうちの物理リソースの一部を含む場合、下りリンク制御シグナリングに含まれる物理リソースと所定のルールとを用いて、ユーザ機器が使用する別の物理リソースを取得してもよい。
【０３００】
場合により、少なくとも2つの下りリンク制御シグナリングが存在し、すべての下りリンク制御シグナリングは、同じ物理リソースを含む。少なくとも2つの下りリンク制御シグナリングがあり、かつすべての下りリンク制御シグナリングが同じ物理リソースを含む場合、ユーザ機器が1つの下りリンク制御シグナリングを成功裏に復号することができれば、並列HARQ方式でデータを送信または受信するためにユーザ機器が使用する物理リソースを取得できる。従って、信頼性を向上させることができる。
【０３０１】
S504．ネットワーク装置は、少なくとも1つの下りリンク制御シグナリングをユーザ機器に送信する。
【０３０２】
本発明の本実施形態では、ネットワーク装置は、システムメッセージなどの無線リソース制御（Radio Resource Control、RRC）メッセージ、またはRRC接続再構成メッセージなどの専用RRCメッセージを使用して、下りリンク制御シグナリングを送信することができる。本発明の本実施形態はこれに限定されない。
【０３０３】
本発明の本実施形態では、すべての方法ステップの実行順序は、特定の実装プロセスにおいて限定されるものではなく、図21は説明のための一例に過ぎないことに留意されたい。
【０３０４】
場合により、ネットワーク装置は、対応するキャリアパラメータを使用して、少なくとも1つの下りリンク制御シグナリングおよび並列HARQ方式でデータを送信または受信するために使用されるキャリアを受信するようにユーザ機器に命令するために、下りリンク制御シグナリングと並列HARQ方式でデータを送信または受信するためにユーザ機器が使用するキャリアパラメータをさらに構成できる。
【０３０５】
図22に示すように、本発明の本実施形態では、下りリンク制御シグナリングのキャリアパラメータを構成するための実装プロセスは、図21に示す方法に基づいて以下のステップを含むことができる。
【０３０６】
S505．ネットワーク装置は、第1のキャリアパラメータを構成する。
【０３０７】
第1のキャリアパラメータは、少なくとも1つの下りリンク制御シグナリングを受信するためにユーザ機器によって使用される第1のキャリアを示すために使用される。
【０３０８】
S506．ネットワーク装置は、第1のキャリアパラメータをユーザ機器に送信する。
【０３０９】
本発明の本実施形態では、ユーザ機器が並列HARQ方式でデータを送信または受信するために使用するキャリアパラメータの実装プロセスは、図20〜図22に示すいずれの実装に基づいても以下のステップを含むことができる。図22は、本発明の本実施形態において説明のための例として使用される。図23に示すように、以下のステップが含まれる。
【０３１０】
S507．ネットワーク装置は、第2のキャリアパラメータを構成し、第2のキャリアパラメータは、並列HARQ方式でデータを送信または受信するためにユーザ機器によって使用される第2のキャリアを示すために使用される。
【０３１１】
S508．ネットワーク装置は、第2のキャリアパラメータをユーザ機器に送信する。
【０３１２】
場合により、第2のキャリアパラメータによって示される第2のキャリアが少なくとも2つのサブキャリアを含む場合、方法は、以下をさらに含む。
【０３１３】
S509．ネットワーク装置は、命令情報をユーザ機器に送信する。
【０３１４】
命令情報は、第2のキャリアに含まれる少なくとも2つのサブキャリアを1つの仮想キャリアとして構成するようにユーザ機器に指示するために使用される。
【０３１５】
本発明の本実施形態における上述の実行ステップS509を含む具体的な方法流れ図については、図24を参照することができる。
【０３１６】
本発明の本実施形態では、ネットワーク装置は、第2のキャリアに含まれる少なくとも2つのサブキャリアを1つの仮想キャリアとして構成するための命令情報をユーザ機器に送信し、その結果、ユーザ機器は、第2のキャリアに含まれる少なくとも2つのサブキャリアを1つの仮想キャリアとして構成し、仮想キャリア上で並列HARQ方式でデータを送信または受信し、それによって、ユーザ機器によって使用される複数のキャリアを1つのキャリアとして使用する。
【０３１７】
場合により、本発明の本実施形態では、並列HARQ通信命令が判定され、送信される前に、ユーザ機器によって送信され、かつユーザ機器が並列HARQ方式でデータを送信または受信することをサポートすることを表すために使用される、ケイパビリティ情報を受信するステップが、図20〜図24に示すいずれかの実装形態に基づいてさらに含まれてもよい。図22は、本発明の本実施形態において説明のための例として使用される。図25に示すように、本方法は、以下のステップを含む。
【０３１８】
S510．ネットワーク装置は、ユーザ機器が並列HARQ方式でデータの送信または受信をサポートすることを表すためにユーザ機器によって送信されたケイパビリティ情報を受信する。
【０３１９】
本発明の本実施形態では、ネットワーク装置は、実際の状況に従って対応するパラメータを設定するために、ユーザ機器が並列HARQ方式でデータの送信または受信をサポートすることを表すためにユーザ機器によって送信されたケイパビリティ情報を受信する。例えば、ネットワーク装置は、HARQ構成パラメータにおいて、使用することによってユーザ機器が並列HARQ方式でデータを送信または受信することをサポートする、並列HARQの回数を正確に構成することができる。
【０３２０】
場合により、本発明の本実施形態では、ネットワーク装置は、少なくとも1つの上りリンクフィードバックリソースを使用して、ユーザ機器によって送信されたフィードバック情報を受信してもよいし、少なくとも1つの下りリンクフィードバックリソースを使用して、ユーザ機器にフィードバック情報を送信してもよい。少なくとも1つの上りリンクフィードバックリソースは、下りリンク制御シグナリングで使用される物理リソースに従って判定される伝送リソースであり、少なくとも1つの下りリンクフィードバックリソースは、並列HARQ方式でデータを送信するために使用される物理リソースに従って判定される伝送リソースである。
【０３２１】
場合により、本発明の本実施形態では、ネットワーク装置は、フィードバック信頼性を向上させるために、少なくとも2つのフィードバックリソースを使用してフィードバック情報を送信または受信することができる。
【０３２２】
ネットワーク装置による対応する通信方法の実行に関するものであり、かつ本発明の本実施形態において詳説されていない、説明については、ネットワーク装置が通信方法を実行する実行プロセスを参照できることに留意されたい。ここでは細部を繰り返し説明しない。
【０３２３】
当業者であれば、各実施形態の上述の方法のそれぞれにおける各ステップの全部または一部をプロセッサに命令するプログラムによって実現することができることを理解するはずである。上述のプログラムは、コンピュータ可読記憶媒体に記憶することができる。記憶媒体は、ランダムアクセスメモリ、読み出し専用メモリ、フラッシュメモリ、ハードディスク、ソリッドステートドライブ、磁気テープ（英語：magnetic tape）、フロッピーディスク（英語：floppy disk）、光ディスク（英語：optical disc）、またはそれらの任意の組み合わせなどの非一時的（英語：non−transitory）媒体であってよい。
【０３２４】
本発明の実施形態における方法および装置の流れ図およびブロック図を参照して、本発明を説明した。コンピュータプログラム命令が、流れ図およびブロック図における各プロセスおよび各ブロック、ならびに流れ図およびブロック図におけるプロセスおよびブロックの組み合わせを実装するために使用され得ることを理解すべきである。これらのコンピュータプログラム命令は、機械を生み出すために、汎用コンピュータ、専用コンピュータ、組み込みプロセッサ、または任意の他のプログラマブルデータ処理装置のプロセッサのために提供され、その結果、コンピュータまたは任意の他のプログラマブルデータ処理装置のプロセッサによって実行される命令が、流れ図における1つ以上のプロセスおよびブロック図における1つ以上のブロックにおける特定の機能を実装するための装置を生み出すのであってもよい。
【０３２５】
上述の説明は、単に本発明の実施例に過ぎず、本発明の保護範囲を限定することを意図するものではない。本発明において開示された技術的範囲内にあり、当業者によって容易に想到される、あらゆる変形や置き換えは、本発明の保護範囲内に含まれるものとする。従って、本発明の保護範囲は、特許請求の範囲の保護範囲に属する。
【符号の説明】
【０３２６】
100  通信装置
101  判定ユニット
102  送受信機ユニット
103  合成復号ユニット
104  構成ユニット
200  ネットワーク装置
201  判定ユニット
202  送信ユニット
203  受信ユニット
204  構成ユニット
300  通信システム
301  ユーザ機器
302  ネットワーク装置
1000  通信装置
1001  メモリ
1002  プロセッサ
1003  送受信機
2000  ネットワーク装置
2001  メモリ
2002  プロセッサ
2003  送信機
2004  受信機
【図１Ａ】
0006607587.tif 000002
【図１Ｂ】
0006607587.tif 000003
【図１Ｃ】
0006607587.tif 000004
【図１Ｄ】
0006607587.tif 000005
【図２Ａ】
0006607587.tif 000006
【図２Ｂ】
0006607587.tif 000007
【図２Ｃ】
0006607587.tif 000008
【図２Ｄ】
0006607587.tif 000009
【図２Ｅ】
0006607587.tif 000010
【図３】
0006607587.tif 000011
【図４】
0006607587.tif 000012
【図５】
0006607587.tif 000013
【図６】
0006607587.tif 000014
【図７】
0006607587.tif 000015
【図８】
0006607587.tif 000016
【図９】
0006607587.tif 000017
【図１０】
0006607587.tif 000018
【図１１】
0006607587.tif 000019
【図１２】
0006607587.tif 000020
【図１３】
0006607587.tif 000021
【図１４】
0006607587.tif 000022
【図１５】
0006607587.tif 000023
【図１６】
0006607587.tif 000024
【図１７】
0006607587.tif 000025
【図１８】
0006607587.tif 000026
【図１９】
0006607587.tif 000027
【図２０】
0006607587.tif 000028
【図２１】
0006607587.tif 000029
【図２２】
0006607587.tif 000030
【図２３】
0006607587.tif 000031
【図２４】
0006607587.tif 000032
【図２５】
0006607587.tif 000033